(57)【要約】【課題】上下風向調整板とケーシング内部の部材とが干渉するおそれを減らすことができる空気調和機の室内機の提供。【解決手段】空気調和機１の室内機１０は、空気の吹出口１５が形成されている室内機ケーシング１２と、吹出口１５近傍に配置される上下風向調整羽根３０と、上下風向調整羽根３０の第１連結部３２と連結しており第１連結部３２を吹出口１５から離れる方向に移動させることが可能な迫り出し機構５１，６１と、上下風向調整羽根３０の第２連結部３３と連結しており第２連結部３３を吹出口１５から離れる方向に移動させることが可能な角度調整機構７１とを備えている。また、上下風向調整羽根３０は、迫り出し機構５１，６１によって吹出口１５から第１連結部３２までの距離が調整され、角度調整機構７１によって吹出口１５から第２連結部３３までの距離が調整されることで、吹出口１５に対する傾斜角度が変更される。【選択図】図２
2011021762.tif 000002
【特許請求の範囲】
【請求項１】
空気の吹出口（１５）が形成されているケーシング（１２）と、
前記吹出口近傍に配置される上下風向調整板（３０）と、
前記上下風向調整板の第１部分（３２）と連結しており、前記第１部分を前記吹出口から離れる方向に移動させることが可能な第１移動機構（５１，６１）と、
前記上下風向調整板において前記第１部分とは別の第２部分（３３）と連結しており、前記第２部分を前記吹出口から離れる方向に移動させることが可能な第２移動機構（７１）と、を備え、
前記上下風向調整板は、前記第１移動機構によって前記吹出口から前記第１部分までの距離が調整され、前記第２移動機構によって前記吹出口から前記第２部分までの距離が調整されることで、前記吹出口に対する傾斜角度が変更される、
空気調和機の室内機（１０）。
【請求項２】
前記第１移動機構は、前記吹出口に対して第１所定位置に配置されている前記第１部分を、前記吹出口に対して前記第１所定位置とは別の第２所定位置に移動させる、
請求項１に記載の空気調和機の室内機。
【請求項３】
前記第１移動機構は、前記吹出口近傍から前記上下風向調整板が迫り出されるように前記第１部分をスライド移動させる、
請求項１または２に記載の空気調和機の室内機。
【請求項４】
前記第２移動機構は、前記第１部分を中心として前記第２部分を移動させることで、前記吹出口に対して第３所定位置に配置されている前記第２部分を前記吹出口に対して前記第３所定位置とは別の第４所定位置に移動させる、
請求項１から３のいずれかに記載の空気調和機の室内機。
【請求項５】
前記第２移動機構は、前記上下風向調整板の前記第２部分を押し引きすることで、前記第２部分を移動させる、
請求項１から４のいずれかに記載の空気調和機の室内機。
【請求項６】
前記第１部分は、前記上下風向調整板の回転軸（５７，６７）を支持するための軸支部（３２ａ）を含む、
請求項１から５のいずれかに記載の空気調和機の室内機。
【請求項７】
前記第１移動機構および前記第２移動機構を駆動するための駆動源（５４，６４，７３）は、前記ケーシング内に収納されている、
請求項１から６のいずれかに記載の空気調和機の室内機。
【請求項８】
前記第１部分は、前記上下風向調整板において、互いに離れた２箇所に配置されており、
前記第１移動機構は、前記上下風向調整板の前記２箇所の第１部分とそれぞれ連結している、
請求項１から５のいずれかに記載の空気調和機の室内機。
【請求項９】
前記２箇所の第１部分は、前記上下風向調整板の両端部近傍にそれぞれ配置されており、前記上下風向調整板の回転軸（５７，６７）を支持するための軸支部（３２ａ）を含む、
請求項８に記載の空気調和機の室内機。
【請求項１０】
前記第１移動機構および前記第２移動機構の駆動を制御する制御部（８５）を更に備え、
前記制御部は、前記第１移動機構および前記第２移動機構を任意のタイミングで駆動させる、
請求項１から９のいずれかに記載の空気調和機の室内機。
【請求項１１】
前記制御部は、前記第１移動機構のみを駆動させる第１駆動モードを実行可能である、
請求項１０に記載の空気調和機の室内機。
【請求項１２】
前記制御部は、前記第２移動機構のみを駆動させる第２駆動モードを実行可能である、
請求項１０または１１に記載の空気調和機の室内機。
【発明の詳細な説明】
【技術分野】
【０００１】
本発明は空気調和機の室内機に関する。
【背景技術】
【０００２】
従来より、空気調和機の室内機には、調和空気が吹き出される空気の吹出口を開閉する上下風向調整板を備えているものがある。また、このような空気調和機の室内機には、上下風向調整板が回転軸を中心に回動することで吹出口に対する傾斜角度が調整されて、吹き出される空気の風向を調整可能なものがある。
【０００３】
例えば、特許文献１（特開平５−２５６５０６号公報）に開示されている空気調和機では、室内ユニット本体（室内機に相当）の吹出口近傍に、風向可変ルーバ（上下風向調整板に相当）が配置されている。また、この空気調和機では、風向可変ルーバが支点（回転軸に相当）を介して回動されることで、吹き出される空気の方向が変更されている。
【発明の概要】
【発明が解決しようとする課題】
【０００４】
ところで、このような空気調和機の室内機において、上下風向調整板の吹出口に対する傾斜角度が所定角度以上の角度になることで、上下風向調整板の一部が吹出口からケーシング内部に侵入してしまうことがある。このため、上下風向調整板とケーシング内部に収容されている部材とが干渉するおそれがある。
【０００５】
そこで、本発明の課題は、上下風向調整板とケーシング内部の部材とが干渉するおそれを減らすことができる空気調和機の室内機を提供することにある。
【課題を解決するための手段】
【０００６】
第１発明に係る空気調和機の室内機は、ケーシングと、上下風向調整板と、第１移動機構と、第２移動機構とを備えている。ケーシングには、空気の吹出口が形成されている。上下風向調整板は、吹出口近傍に配置されている。第１移動機構は、上下風向調整板の第１部分と連結している。また、第１移動機構は、第１部分を吹出口から離れる方向に移動させることが可能である。第２移動機構は、上下風向調整板において第１部分とは別の第２部分と連結している。また、第２移動機構は、第２部分を吹出口から離れる方向に移動させることが可能である。さらに、上下風向調整板は、第１移動機構によって吹出口から第１部分までの距離が調整され、第２移動機構によって吹出口から第２部分までの距離が調整されることで、吹出口に対する傾斜角度が変更される。
【０００７】
第１発明に係る空気調和機の室内機では、第１移動機構によって吹出口から第１部分までの距離が調整され、第２移動機構によって吹出口から第２部分までの距離が調整されることで、上下風向調整板の吹出口に対する傾斜角度が変更されている。このため、例えば、第１部分と第２部分とが吹出口から離れる方向に移動することで上下風向調整板が吹出口から離反する場合には、上下風向調整板がケーシング内部の部材に干渉しない位置まで第１部分および第２部分を移動した後に上下風向調整板の吹出口に対する傾斜角度を変更することができる。
【０００８】
これによって、上下風向調整板とケーシング内部の部材とが干渉するおそれを減らすことができる。
【０００９】
第２発明に係る空気調和機の室内機は、第１発明の空気調和機の室内機であって、第１移動機構は、吹出口に対して第１所定位置に配置されている第１部分を、吹出口に対して第１所定位置とは別の第２所定位置に移動させる。このため、この空気調和機の室内機では、第１所定位置に配置されている第１部分を第２所定位置に移動させることができる。
【００１０】
第３発明に係る空気調和機の室内機は、第１発明または第２発明の空気調和機の室内機であって、第１移動機構は、吹出口近傍から上下風向調整板が迫り出されるように、第１部分をスライド移動させる。このため、吹出口近傍から迫り出されるように上下風向調整板を移動させることができる。
【００１１】
第４発明に係る空気調和機の室内機は、第１発明から第３発明のいずれかの空気調和機の室内機であって、第２移動機構は、第１部分を中心として第２部分を移動させることで、吹出口に対して第３所定位置に配置されている第２部分を吹出口に対して第３所定位置とは別の第４所定位置に移動させる。このため、この空気調和機の室内機では、第２部分を第３所定位置から第４所定位置に移動させることができる。
【００１２】
第５発明に係る空気調和機の室内機は、第１発明から第４発明のいずれかの空気調和機の室内機であって、第２移動機構は、上下風向調整板の第２部分を押し引きすることで、第２部分を移動させる。このため、この空気調和機の室内機では、第２部分を移動させることができる。
【００１３】
第６発明に係る空気調和機の室内機は、第１発明から第５発明のいずれかの空気調和機の室内機であって、第１部分は、上下風向調整板の回転軸を支持するための軸支部を含む。このため、この空気調和機の室内機では、上下風向調整板の回転軸を吹出口から離れた位置に移動させることができる。
【００１４】
第７発明に係る空気調和機の室内機は、第１発明から第６発明のいずれかの空気調和機の室内機であって、第１移動機構および第２移動機構を駆動するための駆動源は、ケーシング内に収納されている。このため、第１移動機構および第２移動機構によって第１部分および第２部分が移動されることで上下風向調整板が吹出口から離反しても、駆動源が目立つおそれを減らすことができる。
【００１５】
第８発明に係る空気調和機の室内機は、第１発明から第５発明の空気調和機の室内機であって、第１部分は、上下風向調整板において、互いに離れた２箇所に配置されている。また、第１移動機構は、上下風向調整板の２箇所の第１部分とそれぞれ連結している。このため、例えば、上下風向調整板と第１移動機構との連結部分が１箇所だけである場合と比較して、上下風向調整板を安定して移動させることができる。
【００１６】
第９発明に係る空気調和機の室内機は、第８発明の空気調和機の室内機であって、２箇所の第１部分は、上下風向調整板の両端部近傍にそれぞれ配置されている。また、２箇所の第１部分は、上下風向調整板の回転軸を支持するための軸支部を含む。このため、この空気調和機の室内機では、上下風向調整板の両端部において上下風向調整板の回転軸を支持することができる。
【００１７】
第１０発明の空気調和機の室内機は、第１発明から第９発明のいずれかの空気調和機の室内機であって、第１移動機構および第２移動機構の駆動を制御する制御部を更に備える。また、制御部は、第１移動機構および第２移動機構を任意のタイミングで駆動させる。このため、この空気調和機の室内機では、第１移動機構および第２移動機構を任意のタイミングで駆動させることができる。
【００１８】
第１１発明の空気調和機の室内機は、第１０発明の空気調和機の室内機であって、制御部は、第１移動機構のみを駆動させる第１駆動モードを実行可能である。このため、この空気調和機の室内機では、第１移動機構のみを駆動させることができる。
【００１９】
第１２発明の空気調和機の室内機は、第１０発明または第１１発明の空気調和機の室内機であって、制御部は、第２移動機構のみを駆動させる第２駆動モードを実行可能である。このため、この空気調和機の室内機では、第２移動機構をのみを駆動させることができる。
【発明の効果】
【００２０】
第１発明に係る空気調和機の室内機では、上下風向調整板とケーシング内部の部材とが干渉するおそれを減らすことができる。
【００２１】
第２発明に係る空気調和機の室内機では、第１所定位置に配置されている第１部分を第２所定位置に移動させることができる。
【００２２】
第３発明に係る空気調和機の室内機では、吹出口近傍から迫り出されるように上下風向調整板を移動させることができる。
【００２３】
第４発明に係る空気調和機の室内機では、第２部分を第３所定位置から第４所定位置に移動させることができる。
【００２４】
第５発明に係る空気調和機の室内機では、第２部分を移動させることができる。
【００２５】
第６発明に係る空気調和機の室内機では、上下風向調整板の回転軸を吹出口から離れた位置に移動させることができる。
【００２６】
第７発明に係る空気調和機の室内機では、駆動源が目立つおそれを減らすことができる。
【００２７】
第８発明に係る空気調和機の室内機では、上下風向調整板を安定して移動させることができる。
【００２８】
第９発明に係る空気調和機の室内機では、上下風向調整板の両端部において上下風向調整板の回転軸を支持することができる。
【００２９】
第１０発明に係る空気調和機の室内機では、第１移動機構および第２移動機構を任意のタイミングで駆動させることができる。
【００３０】
第１１発明に係る空気調和機の室内機では、第１移動機構のみを駆動させることができる。
【００３１】
第１２発明に係る空気調和機の室内機では、第２移動機構をのみを駆動させることができる。
【図面の簡単な説明】
【００３２】
【図１】本発明の実施形態に係る室内機を備える空気調和機の概略冷媒回路図。
【図２】空気調和機の冷房運転時であって、第１冷房状態である場合の室内機の外観斜視図。
【図３】空気調和機の暖房運転時であって、第１暖房状態である場合の室内機の外観斜視図。
【図４】室内機の概略断面図。
【図５】上下風向調整羽根の平面図。
【図６】上下風向調整羽根の断面図（図５のVI-VI断面に相当）。
【図７】上下風向調整羽根の外観斜視図。
【図８】上下風向調整羽根の状態が第１開状態である場合の上下風向調整羽根および第１機構の平面図であって、上下風向調整羽根と第１機構との位置関係を示す概念図。
【図９】上下風向調整羽根が閉状態である場合の吹出口近傍の概略斜視図（側方遮蔽部材は省略）。
【図１０】上下風向調整羽根が第１開状態である場合の吹出口近傍の概略斜視図（側方遮蔽部材は省略）。
【図１１】上下風向調整羽根が第２開状態である場合の吹出口近傍の概略斜視図（側方遮蔽部材は省略）。
【図１２】上下風向調整羽根が第３開状態である場合の吹出口近傍の概略斜視図（側方遮蔽部材は省略）。
【図１３】上下風向調整羽根および側方遮蔽部材が閉状態である室内機において、（ａ）左側方遮蔽部材近傍の正面図、（ｂ）左側方遮蔽部材近傍の斜視図。
【図１４】上下風向調整羽根が第２開状態であって、側方遮蔽部材が閉状態である室内機において、（ａ）左側方遮蔽部材近傍の正面図、（ｂ）左側方遮蔽部材近傍の斜視図。
【図１５】上下風向調整羽根が第２開状態であって、側方遮蔽部材が開状態である室内機において、（ａ）左側方遮蔽部材近傍の正面図、（ｂ）左側方遮蔽部材近傍の斜視図。
【図１６】（ａ）上下風向調整羽根が第２開状態であって側方遮蔽部材が閉状態である室内機における左側方遮蔽部材近傍の概略部分断面図、（ｂ）上下風向調整羽根が第２開状態であって側方遮蔽部材が開状態である室内機における左側方遮蔽部材近傍の概略部分断面図。
【図１７】空気調和機の備える制御部の制御ブロック図。
【発明を実施するための形態】
【００３３】
以下、図面を参照しながら本発明の一実施形態に係る室内機１０を備える空気調和機１について説明する。なお、以下の実施形態は、本発明の具体例であって、本発明の技術的範囲を限定するものではない。
【００３４】
＜空気調和機の構成概略＞
図１は、空気調和機１の概略冷媒回路図である。図２は、空気調和機１の冷房運転時であって、第１冷房状態である場合の室内機１０の斜視図である。図３は、空気調和機１の暖房運転時であって、第１暖房状態である場合の室内機１０の斜視図である。
【００３５】
空気調和機１は、室内の壁面に取り付けられる室内機１０と、室外に設置される室外機２とを備えており、冷房運転および暖房運転等の各種運転を実行することができる。
【００３６】
室外機２は、圧縮機３と、圧縮機３の吐出側に接続されている四路切換弁４と、圧縮機３の吸入側に接続されるアキュムレータ５と、四路切換弁４に接続されている室外熱交換器６と、室外熱交換器６に接続された室外膨張弁７とを有している。室外膨張弁７は、冷媒配管８を介して後述する室内熱交換器１３の一端と接続される。また、四路切換弁４は、冷媒配管８を介して室内熱交換器１３の他端と接続されている。また、室外機２内には、室外ファン９が設けられている。室外ファン９は、室外の空気を取り込み、室外熱交換器６での熱交換後の空気を室外機２外部に排出するプロペラファンである。
【００３７】
室内機１０は、図２に示すように、室内の壁面Ｗ等に取り付けられる壁掛け型の室内機１０である。また、室内機１０は、図２および図３に示すように、主として、室内機本体１１と、上下風向調整羽根３０と、側方遮蔽部材２０，９０と、第１機構５０と、第２機構２９，９９（図１７参照）と、を備えている。以下に、室内機本体１１、上下風向調整羽根３０、側方遮蔽部材２０，９０、第１機構５０、第２機構２９，９９の順に説明する。
【００３８】
＜室内機本体の構成＞
図４は、室内機１０の概略断面図である。
【００３９】
室内機本体１１は、主に、室内機ケーシング１２と、室内熱交換器１３と、室内ファン１４と、垂直羽根１９とを備えている。
【００４０】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口（図示せず）と、吹出口１５とが形成されている。取込口は、室内の空気を室内機ケーシング１２の内側に取り込むための開口であって、室内機ケーシング１２の上部に形成されている。
【００４１】
また、吹出口１５は、室内機本体１１内で調和された空気を吹き出すための開口であって、室内機１０の下部近傍に形成されている。具体的には、吹出口１５は、室内機ケーシング１２の底面から両側面にかけて連続して形成されている。このため、吹出口１５は、室内機１０の側面視において、その一部を視認可能である。
【００４２】
また、室内機ケーシング１２内には、取込口から吹出口１５に至る空気流路が形成されている。この空気流路内には、室内ファン１４、室内熱交換器１３および垂直羽根１９等が配置されている。また、この空気流路には、室内ファン１４から垂直羽根１９を介して吹出口１５に至るまでの流路部分である吹き出し流路が含まれる。
【００４３】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００４４】
室内ファン１４は、モータ１４ａ（図１参照）と、モータ１４ａにより回転駆動される羽根車とを有するクロスフローファンである。また、室内ファン１４は、取込口から室内機ケーシング１２内に空気を吸入し、室内熱交換器１３を通過させた後に、吹出口１５から室内機ケーシング１２外に空気を吹き出すことができるように配置されている。
【００４５】
垂直羽根１９は、上述のように、吹き出し流路に配置されている。垂直羽根１９は、駆動モータ（図示せず）と、連結棒（図示せず）と、連結棒によって連結された複数枚の羽根１９ａ（図２および図３参照）とを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向における調和空気の吹き出し方向を調整する。
【００４６】
また、垂直羽根１９は、図４に示すように、主垂直羽根部１９ｃと、主垂直羽根部１９ｃの両側にそれぞれ配置される側方垂直羽根部１９ｄ，１９ｅとを含む。側方垂直羽根部１９ｄ，１９ｅは、室内機１０の正面視において、主垂直羽根部１９ｃの左側に位置する左側方垂直羽根部１９ｄと、主垂直羽根部１９ｃの右側に位置する右側方垂直羽根部１９ｅとから構成される。また、主垂直羽根部１９ｃの有する複数の羽根と左側方垂直羽根部１９ｄの有する羽根と右側方垂直羽根部１９ｅの有する羽根とは、それぞれ別の連結棒によって連結されている。このため、主垂直羽根部１９ｃと左側方垂直羽根部１９ｄと右側方垂直羽根部１９ｅとは、それぞれ異なる方向に揺動することができる。
【００４７】
＜上下風向調整羽根の構成＞
図５は、上下風向調整羽根３０の平面図である。図６は、上下風向調整羽根３０の断面図である。図７は、上下風向調整羽根３０の外観斜視図である。図８は、上下風向調整羽根３０の状態が第１開状態である場合の上下風向調整羽根３０および第１機構５０の平面図であって、上下風向調整羽根３０と第１機構５０との位置関係を示す概念図である。図９は、上下風向調整羽根３０が閉状態である場合の吹出口１５近傍の概略斜視図である。図１０は、上下風向調整羽根３０が第１開状態である場合の吹出口１５近傍の概略斜視図である。図１１は、上下風向調整羽根３０が第２開状態である場合の吹出口１５近傍の概略斜視図である。図１２は、上下風向調整羽根３０が第３開状態である場合の吹出口１５近傍の概略斜視図である。なお、図９、図１０、図１１および図１２では、側方遮蔽部材２０，９０を省略して描いている。
【００４８】
上下風向調整羽根３０は、室内機１０の長手方向（水平方向）に長い板状の部材である。また、上下風向調整羽根３０は、室内機１０の下部に配置されている。具体的には、上下風向調整羽根３０は、吹出口１５において、室内機ケーシング１２の底面に形成されている開口部分近傍に配置されている。
【００４９】
さらに、上下風向調整羽根３０は、後述する第１機構５０と連結する連結部３２，３３を有する。連結部３２，３３は、上下風向調整羽根３０において、上下風向調整羽根３０が吹出口１５を覆っている状態で、室内機１０の外部から視認することができる面（以下、外側面３０ｂという）とは反対側の面（以下、内側面３０ａという）に配置されている。また、連結部３２，３３は、第１連結部３２と、第２連結部３３とを含む。第１連結部３２は、図５に示すように、上下風向調整羽根３０において互いに離れた２箇所に配置されている。具体的には、第１連結部３２は、図５および図８に示すように、上下風向調整羽根３０の両端部３０ｇ，３０ｈ近傍であって、上下風向調整羽根３０の一方の長辺（以下、第１長辺３０ｃという）近傍にそれぞれ配置されている。第２連結部３３は、図５に示すように、上下風向調整羽根３０の長手方向の略中央付近であって、上下風向調整羽根３０の第１長辺３０ｃに対向する辺である第２長辺３０ｄ近傍に配置されている。
【００５０】
また、第１連結部３２および第２連結部３３は、図５および図６に示すように、それぞれ軸支部３２ａ，３３ａを含む。各軸支部３２ａ，３３ａは、後述する支持軸５７，６７，７８を回転可能に軸支している。また、各軸支部３２ａ，３３ａは、摺動性に優れた部材（高摺動部材）によって構成されており、摩擦を抑えて支持軸５７，６７，７８を滑らかに回転させることができる。
【００５１】
さらに、上下風向調整羽根３０は、４つの状態（閉状態、第１開状態、第２開状態、および、第３開状態）を採ることが可能である。なお、以下より、説明の便宜上、吹出口１５において、上下風向調整羽根３０の状態が閉状態である場合に風向調整羽根３０によって覆われる部分、すなわち、上下風向調整羽根３０の状態が閉状態である場合に上下風向調整羽根３０の配置されている空間を、吹出口１５の第１部分１６という。また、本実施形態における「遮蔽」とは、吹出口１５の所定部分を覆うことが可能な部材によって、前記所定部分の略全部が覆われている状態を意味しており、本実施形態における「開放」とは、吹出口１５の所定部分を覆うことが可能な部材によって、前記所定部分の略全部が覆われていない状態を意味している。例えば、吹出口１５の第１部分１６の略全体が上下風向調整羽根３０によって覆われている状態を吹出口１５の第１部分１６が遮蔽されている状態とし、吹出口１５の第１部分１６の略全体が上下風向調整羽根３０によって覆われていない状態を、吹出口１５の第１部分１６が開放されている状態とする。
【００５２】
上下風向調整羽根３０の状態が閉状態の場合、図９に示すように、上下風向調整羽根３０は、吹出口１５の第１部分１６を覆うように配置される。このため、上下風向調整羽根３０の状態が閉状態の場合には、上下風向調整羽根３０によって吹出口１５の第１部分１６が遮蔽される。
【００５３】
上下風向調整羽根３０の状態が第１開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図１０に示すように、吹出口１５の第１部分１６、すなわち、吹出口１５において第１部分１６に相当する開口面に対して略平行に対向するように配置される。言い換えると、吹出口１５の第１部分１６の長手方向を「左右方向」とし吹出口１５の第１部分１６の長手方向に直交する方向を「前後方向」とすると、上下風向調整羽根３０は、図１０に示すように、吹出口１５において第１部分１６に相当する開口面に対して、左右方向および前後方向に対して傾斜しないように配置されている。
【００５４】
上下風向調整羽根３０の状態が第２開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図１１に示すように、吹出口１５において第１部分１６に相当する開口面に対して所定角度だけ傾斜するように配置される。言い換えると、上下風向調整羽根３０は、上下風向調整羽根３０において吹出口１５の第１部分１６の前後方向の後側に近い側の端部、すなわち、上下風向調整羽根３０の第２長辺３０ｄを含む端部（以下、後側端部３０ｅという）が、上下風向調整羽根３０において後側端部３０ｅに対向する端部（以下、前側端部３０ｆという）よりも吹出口１５の第１部分１６に対して近くなるように、傾斜して配置される。したがって、上下風向調整羽根３０が第２開状態の場合には、室内機１０の正面視において、上下風向調整羽根３０の内側面３０ａが視認可能である。なお、上述の前側端部３０ｆとは、上下風向調整羽根３０において吹出口１５の第１部分１６の前後方向の前側に近い側の端部であって、上下風向調整羽根３０の第１長辺３０ｃを含む端部のことである。
【００５５】
また、上下風向調整羽根３０の状態が第２開状態である場合、上下風向調整羽根３０は、吹出口１５において第１部分１６に相当する開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、上下風向調整羽根３０の状態が第２開状態である場合に吹出口１５から吹き出された空気が向かう方向を前側下方といい、上下風向調整羽根３０の状態が第１開状態である場合に吹出口１５から吹き出された空気が向かう方向を前側上方という。
【００５６】
上下風向調整羽根３０の状態が第３開状態の場合、上下風向調整羽根３０は、吹出口１５の第１部分１６を開放し、かつ、吹出口１５の第１部分１６から室内機１０の下方に空気が吹き出されるように配置される。具体的には、上下風向調整羽根３０は、図１２に示すように、吹出口１５において第１部分１６に相当する開口面に対して所定角度だけ傾斜するように配置される。より具体的には、上下風向調整羽根３０の前側端部３０ｆが、上下風向調整羽根３０の後側端部３０ｅよりも吹出口１５の第１部分１６に近くなるように上下風向調整羽根３０が傾斜して配置される。このため、上下風向調整羽根３０の状態が第３開状態の場合、室内機１０の正面視において、上下風向調整羽根３０の外側面３０ｂが視認可能である。
【００５７】
＜側方遮蔽部材の構成＞
図１３（ａ）は、上下風向調整羽根３０が閉状態であって側方遮蔽部材２０，９０が閉状態である室内機１０の正面図であって、左側方遮蔽部材９０近傍を示す図である。図１３（ｂ）は、上下風向調整羽根３０が閉状態であって側方遮蔽部材２０，９０が閉状態である室内機１０の斜視図であって、左側方遮蔽部材９０近傍を示す図である。図１４（ａ）は、上下風向調整羽根３０が第２開状態であって側方遮蔽部材２０，９０が閉状態である室内機１０の正面図であって、左側方遮蔽部材９０近傍を示す図である。図１４（ｂ）は、上下風向調整羽根３０が第２開状態であって側方遮蔽部材２０，９０が閉状態である室内機１０の斜視図であって、左側方遮蔽部材９０近傍を示す図である。図１５（ａ）は、上下風向調整羽根３０が第２開状態であって側方遮蔽部材２０，９０が開状態である室内機１０の正面図であって、左側方遮蔽部材９０近傍を示す図である。図１５（ｂ）は、上下風向調整羽根３０が第２開状態であって側方遮蔽部材２０，９０が開状態である室内機１０の斜視図であって、左側方遮蔽部材９０近傍を示す図である。
【００５８】
側方遮蔽部材２０，９０は、室内機１０の左右両側方下部に配置されている。具体的には、側方遮蔽部材２０，９０は、所定方向の断面が略Ｌ字状を呈する板状の部材であって、吹出口１５において室内機ケーシング１２の底面から側面にかけて形成されている開口部分を覆うことが可能である。また、側方遮蔽部材２０，９０は、吹出口１５において、上下風向調整羽根３０によって覆われる吹出口１５の第１部分１６以外の部分を覆うことが可能である。
【００５９】
また、側方遮蔽部材２０，９０は、側方遮蔽部材２０，９０と上下風向調整羽根３０とが吹出口１５を遮蔽している状態、言い換えると、室内機１０の風向状態が運転停止状態である場合には、室内機１０の底面視において、吹出口１５のうち室内機ケーシング１２の底面に形成されている開口部分を覆う側方遮蔽部材２０，９０の一部と上下風向調整羽根３０とが左右方向に概ね連続して配置されている。
【００６０】
なお、以下より、説明の便宜上、側方遮蔽部材２０，９０のうち、室内機１０の正面視において、室内機１０の右側下部に配置される側方遮蔽部材を右側方遮蔽部材２０といい、室内機１０の左側下部に配置される側方遮蔽部材を左側方遮蔽部材９０という。また、右側方遮蔽部材２０は、左側方遮蔽部材９０の構成を左右対称にした構成と同様であるため、ここでは、左側方遮蔽部材９０の構成のみを説明し、右側方遮蔽部材２０の構成については説明を省略する。
【００６１】
左側方遮蔽部材９０は、図１３、図１４および図１５に示すように、室内機１０の下部の角部に沿った湾曲した形状を有している。また、左側方遮蔽部材９０は、第１部９１と、第２部９２とを有する。第１部９１には、左側方遮蔽部材９０の第１端部９０ａが含まれる。また、第２部９２には、左側方遮蔽部材９０の第２端部９０ｂが含まれる。
【００６２】
また、側方遮蔽部材２０，９０は、２つの状態（閉状態および開状態）を採ることが可能である。なお、以下より、説明の便宜上、吹出口１５において側方遮蔽部材２０，９０が閉状態である場合に左側方遮蔽部材９０によって覆われる部分、言い換えると、吹出口１５において側方遮蔽部材２０，９０が閉状態である場合に左側方遮蔽部材９０の配置される空間を吹出口１５の第２部分１７ａといい、右側方遮蔽部材２０によって覆われる部分、言い換えると、吹出口１５において側方遮蔽部材２０，９０が閉状態である場合に右側方遮蔽部材２０の配置される空間を吹出口１５の第３部分１７ｂという。
【００６３】
側方遮蔽部材２０，９０の状態が閉状態である場合、側方遮蔽部材２０，９０が吹出口１５の第２部分１７ａおよび第３部分１７ｂを覆うように配置される（図１３参照）。具体的には、側方遮蔽部材２０，９０の状態が閉状態である場合には、右側方遮蔽部材２０が吹出口１５の第３部分１７ｂを覆うように配置され、左側方遮蔽部材９０が吹出口１５の第２部分１７ａを覆うように配置される。このため、上下風向調整羽根３０および側方遮蔽部材２０，９０が閉状態である場合には、吹出口１５が遮蔽される。
【００６４】
側方遮蔽部材２０，９０の状態が開状態である場合、側方遮蔽部材２０，９０が吹出口１５の第２部分１７ａおよび第３部分１７ｂを開放するように配置される（図１５参照）。具体的には、右側方遮蔽部材２０が吹出口１５の第３部分１７ｂを開放するように配置され、左側方遮蔽部材９０が吹出口１５の第２部分１７ａを開放するように配置される。
【００６５】
＜第１機構の構成＞
第１機構５０は、吹出口１５の第１部分１６が覆われている状態から吹出口１５第１部分１６が開放されている状態となるように、上下風向調整羽根３０を移動させるための機構である。また、第１機構５０は、吹出口１５において第１部分１６に相当する開口面に対する上下風向調整羽根３０の位置を移動させることで、上下風向調整羽根３０の状態を切り換えることができる。
【００６６】
また、第１機構５０は、迫り出し機構５１，６１と、角度調整機構７１とを有している。
【００６７】
迫り出し機構５１，６１は、上下風向調整羽根３０が吹出口１５近傍から迫り出されるように、上下風向調整羽根３０と迫り出し機構５１，６１とが連結されている部分である第１連結部３２を移動させることができる。具体的には、迫り出し機構５１，６１は、第１連結部３２が吹出口１５に近接または離反するように、第１連結部３２を移動させることができる。すなわち、迫り出し機構５１，６１は、第１連結部３２を吹出口１５から離れる方向に移動させることができる。
【００６８】
また、迫り出し機構５１，６１は、第１連結部３２を移動させることで、吹出口１５の第１部分１６に対する第１連結部３２の位置を移動させることができる。例えば、迫り出し機構５１，６１は、図９に示す位置に配置されている第１連結部３２を、図１０に示す位置に移動させることができる。また、例えば、迫り出し機構５１，６１は、図１０に示す位置に配置されている第１連結部３２を、図１１に示す位置に移動させることができる。すなわち、迫り出し機構５１，６１は、第１連結部３２を移動させることで、第１連結部３２を所定位置から前記所定位置とは異なる位置に移動させることができる。さらに、迫り出し機構５１，６１は、吹出口１５の第１部分１６に対する第１連結部３２の位置を吹出口１５から離れる方向に移動させることで、上下風向調整羽根３０を吹出口１５において第１部分１６に相当する開口面から前方にスライド移動させることができる。なお、迫り出し機構５１，６１は、後述する迫り出し機構駆動用モータ５４，６４の駆動力を上下風向調整羽根３０の第１連結部３２に伝達する増速機構として機能する。
【００６９】
また、迫り出し機構５１，６１は、図７および図８に示すように、第１迫り出し機構５１と、第２迫り出し機構６１とを有する。なお、本実施形態では、第１迫り出し機構５１と第２迫り出し機構６１との構成は同様であるため、ここでは、第１迫り出し機構５１の構成についてのみ説明を行い、第２迫り出し機構６１については、第１迫り出し機構５１の構成部品に付される５０番台の符号を６０番台に読み替えることによって、説明を省略する。
【００７０】
第１迫り出し機構５１は、図７および図８に示すように、ピニオン歯車５２と、移動部材５３と、迫り出し機構駆動用モータ５４とを有している。
【００７１】
ピニオン歯車５２は、迫り出し機構駆動用モータ５４の有する駆動軸５４ａに連結されており、迫り出し機構駆動用モータ５４が駆動することによって回転する。
【００７２】
移動部材５３は、ピニオン歯車５２と噛み合うラック５６と、支持軸５７とを有している。ラック５６は、移動部材５３の一端部５３ａ近傍から他端部５３ｂ近傍にかけて配置されている。支持軸５７は、棒状の部材であって、移動部材５３の端部５３ａ近傍の端面から外側に向かって突出している。さらに、支持軸５７は、上下風向調整羽根３０の軸支部３２ａを上下風向調整羽根３０の長手方向に対して平行に挿通しており、上下風向調整羽根３０を回動可能に支持している。
【００７３】
迫り出し機構駆動用モータ５４は、ステッピングモータであって、駆動軸５４ａを有している。駆動軸５４ａは、迫り出し機構駆動用モータ５４に連結されており、迫り出し機構駆動用モータ５４が駆動することによって回転する。このため、迫り出し機構駆動用モータ５４は、駆動軸５４ａを回転させることで、ピニオン歯車５２を回転させることができる。なお、本実施形態では、迫り出し機構駆動用モータ５４とピニオン歯車５２とは、互いに対向するように配置されている。また、迫り出し機構駆動用モータ５４は、後述する取り付け板８０に固定されている。
【００７４】
このような構成によって、迫り出し機構駆動用モータ５４，６４がピニオン歯車５２，６２を回転させると、ピニオン歯車５２，６２と噛み合うラック５６，６６に動力が伝達されて、ピニオン歯車５２，６２に対する移動部材５３，６３の位置が変化する。具体的には、図７および図８に示すように、移動部材５３，６３のうち上下風向調整羽根３０と連結されている端部を移動部材５３，６３の下端部５３ａ，６３ａとし、下端部５３ａ，６３ａとは反対側の端部を移動部材５３，６３の上端部５３ｂ，６３ｂとすると、迫り出し機構駆動用モータ５４，６４が駆動することで、移動部材５３，６３の上端部５３ｂ，６３ｂが、ピニオン歯車５２，６２近傍の位置に移動したり、ピニオン歯車５２，６２から離れた位置に移動したりする。このため、移動部材５３，６３の下端部５３ａ，６３ａに連結している上下風向調整羽根３０は、移動部材５３，６３の移動に伴って、吹出口１５における第１部分１６に相当する開口面に向かう方向すなわち吹出口１５の第１部分１６を遮蔽する方向、あるいは、吹出口１５における第１部分１６に相当する開口面から遠ざかる方向すなわち吹出口１５の第１部分１６を開放する方向に移動する。このように、迫り出し機構５１，６１は、吹出口１５の第１部分１６から第１連結部３２までの距離を調整することができる。
【００７５】
これによって、迫り出し機構５１，６１は、上下風向調整羽根３０が吹出口１５近傍から迫り出されるように、上下風向調整羽根３０をスライド移動、すなわち、迫り出し移動させることができる。なお、迫り出し機構駆動用モータ５４，６４の回転量および回転方向は、後述する制御部８４によって制御されている。
【００７６】
角度調整機構７１は、上下風向調整羽根３０の吹出口１５において第１部分１６に相当する開口面に対する傾斜角度が調整されるように、上下風向調整羽根３０と角度調整機構７１とが連結されている部分である第２連結部３３を、吹出口１５から離れる方向に移動させることができる。また、角度調整機構７１は、第１連結部３２に軸支されている支持軸５７，６７を回転中心、すなわち、回転軸として第２連結部３３を移動させることで、吹出口１５に対して所定位置に配置されている第２連結部３３を、前記所定位置とは別の位置に移動させることができる。
【００７７】
なお、上述の迫り出し機構５１，６１は、上下風向調整羽根３０の回転軸として機能する支持軸５７，６７を、上下風向調整羽根３０とともに移動させることができることになる。言い換えると、迫り出し機構５１，６１は、上下風向調整羽根３０の回転軸を移動させることができることになる。
【００７８】
また、角度調整機構７１は、後述する角度調整機構駆動用モータ７３の駆動力を上下風向調整羽根３０の第２連結部３３に伝達する減速機構として機能する。
【００７９】
角度調整機構７１は、角度調整機構駆動用モータ７３と、リンク機構７２とを備えている。
【００８０】
角度調整機構駆動用モータ７３は、駆動軸７３ａを有している。角度調整機構駆動用モータ７３は、ステッピングモータであって、駆動軸７３ａを介してリンク機構７２を駆動させる。
【００８１】
リンク機構７２は、揺動レバー７４と、アーム７５とを有している。揺動レバー７４は、その一端部が、角度調整機構駆動用モータ７３の駆動軸７３ａに連結されている。また、揺動レバー７４の他端部は、アーム７５の一端部と回動可能に連結されている。
【００８２】
また、アーム７５は、支持軸７８を含む。支持軸７８は、アーム７５において揺動レバー７４と連結している端部とは反対側の端部近傍の両端面から外側方向に向かって突出している。さらに、支持軸７８は、上下風向調整羽根３０の軸支部３３ａに係合しており、上下風向調整羽根３０を回動可能の支持している。
【００８３】
このため、リンク機構７２は、揺動レバー７４が図９に示す位置にある場合には、上下風向調整羽根３０が吹出口１５の第１部分１６を遮蔽している状態となる。また、揺動レバー７４が図１０または図１１に示す位置にある場合には、上下風向調整羽根３０の状態が、第１開状態、または、第２開状態となる。さらに、揺動レバー７４が図１２に示す位置にある場合には、上下風向調整羽根３０の状態が、第３開状態となる。このように、角度調整機構７１は、吹出口１５の第１部分１６から第２連結部３３までの距離を調整することができる。
【００８４】
なお、上述の迫り出し機構５１，６１は、上下風向調整羽根３０の状態を第１開状態から第２開状態に切り換える場合には、支持軸７８を回動中心、すなわち、回転軸として、第１連結部３２を移動させる。このため、上下風向調整羽根３０の状態が第１開状態から第２開状態に切り換わる場合には、角度調整機構７１によって吹出口１５の第１部分１６に対する支持軸７８の位置、すなわち、第２連結部３３の位置は移動されない。
【００８５】
このような構成によって、角度調整機構７１は、角度調整機構駆動用モータ７３が駆動することで、上下風向調整羽根３０の第２連結部３３を押し引きすることができる。なお、リンク機構７２の回転角度、すなわち、角度調整機構駆動用モータ７３の回転量および回転方向は、後述する制御部８４によって制御されている。
【００８６】
このように、上下風向調整羽根３０は、迫り出し機構５１，６１によって吹出口１５の第１部分１６から第１連結部３２までの距離が調整され、角度調整機構７１によって吹出口１５の第１部分１６から第２連結部３３までの距離が調整されることで、吹出口１５において第１部分１６に相当する開口面に対する傾斜角度が変更される。また、上下風向調整羽根３０が第１開状態から第２開状態に切り換わる場合には、迫り出し機構５１，６１は、第２連結部３３に軸支されている支持軸７８を回転軸として第１連結部３２を移動させる。さらに、上下風向調整羽根３０が第２開状態から第３開状態に切り換わる場合には、角度調整機構７１は、第１連結部３２に軸支されている支持軸５７，６７を回転軸として第２連結部３３を移動させる。このため、上下風向調整羽根３０の前側端部３０ｆ近傍の第１連結部３２および後側端部３０ｅ近傍の第２連結部３３のいずれか一方に軸支されている支持軸を回転軸とし、回転軸として機能していない方の支持軸を軸支している連結部を可動させることで、吹出口１５の第１部分１６に対する上下風向調整羽根３０の傾斜角度が変更されている。
【００８７】
また、第１機構５０は、取り付け板８０を有している。取り付け板８０は、吹出口１５において第１部分１６に相当する開口面よりも上方に配置されている。また、取り付け板８０の上面には、迫り出し機構５１，６１の駆動源である２つの迫り出し機構駆動用モータ５４，６４、および、角度調整機構７１の駆動源である角度調整機構駆動用モータ７３が固定されている。具体的には、迫り出し機構駆動用モータ５４，６４は、取り付け板８０の両端部近傍にそれぞれ固定されている。また、角度調整機構駆動用モータ７３は、取り付け板８０の略中央部に固定されている。このようにして、迫り出し機構駆動用モータ５４，６４および角度調整機構駆動用モータ７３は、取り付け板８０とともに、室内機ケーシング１２の内部に収納されている。
【００８８】
また、取り付け板８０には、迫り出し機構駆動用モータ５４，６４の近傍に、それぞれの移動部材５３，６３が挿通可能な移動部材挿通開口８１ａ，８１ｂが形成されている。なお、移動部材挿通開口８１ａ，８１ｂは、移動部材５３，６３のラック５６，６６以外の部分を支持することができるように、その一部が狭くなるように形成されている。さらに、取り付け板８０には、図７および図８に示すように、各移動部材５３，６３を案内するための案内溝８２ａ，８２ｂが設けられている。
【００８９】
また、取り付け板８０には、角度調整機構駆動用モータ７３近傍に、揺動レバー７４が挿通可能なレバー挿通開口８３が形成されている。
【００９０】
なお、本実施形態では、迫り出し機構５１，６１は増速機構であり、角度調整機構７１は減速機構であるため、２つの迫り出し機構駆動用モータ５４，６４と角度調整機構駆動用モータ７３との必要駆動トルクおよび非通電静止トルクの調整を図ることができる。したがって、例えば、上下風向調整羽根３０の位置を手動で動かされた場合でも、迫り出し機構駆動用モータ５４，６４および角度調整機構駆動用モータ７３に作用するトルクを近づけることができるため、同一のステッピングモータを採用することができている。
【００９１】
＜第２機構の構成＞
図１６（ａ）は、上下風向調整羽根３０が第２開状態であって側方遮蔽部材２０，９０が閉状態である室内機１０の断面図であって、左側方遮蔽部材９０近傍の概略図である。図１６（ｂ）は、上下風向調整羽根３０が第２開状態であって側方遮蔽部材２０，９０が開状態である室内機１０の断面図であって、左側方遮蔽部材９０近傍の概略図である。
【００９２】
第２機構２９，９９は、第１機構５０とは別の移動機構であって、吹出口１５の第２部分１７ａおよび第３部分１７ｂが遮蔽されている状態から吹出口１５の第２部分１７ａおよび第３部分１７ｂが開放されている状態となるように、側方遮蔽部材２０，９０を移動させることが可能な機構である。言い換えると、第２機構２９，９９は、側方遮蔽部材２０，９０の状態を切り換えるために、側方遮蔽部材２０，９０を移動させるための機構である。
【００９３】
第２機構２９，９９は、第２機構駆動用モータ２４，９４（図１７参照）と、支持部材（９３；図１６参照）とを備えている。また、第２機構２９，９９は、右側方遮蔽部材２０の状態を切り換えるための右側方遮蔽部材移動機構２９と、左側方遮蔽部材９０の状態を切り換えるための左側方遮蔽部材移動機構９９とを有する。また、右側方遮蔽部材移動機構２９は、左側方遮蔽部材移動機構９９の構成を左右対称にした構成と同様であるため、ここでは、左側方遮蔽部材移動機構９９の構成のみを説明し、右側方遮蔽部材移動機構２９の構成については説明を省略する。
【００９４】
第２機構駆動用モータ９４は、室内機本体１１内に配置されており、室内機ケーシング１２に固定されている。また、第２機構駆動用モータ９４は、回転軸（図示せず）を有している。回転軸は、室内機１０の前後方向に延びており、第２機構駆動用モータ９４が駆動することによって回転する。
【００９５】
支持部材９３は、図１６に示すように、板状の部材であって、その一端部９３ａが左側方遮蔽部材９０の第１端部９０ａ近傍に連結している。また、支持部材９３の他端部９３ｂは回転軸に連結されており、支持部材９３は回転軸が回転することで回転軸を中心に回転方向に移動する。
【００９６】
このような構成によって、第２機構２９，９９は、第２機構駆動用モータ２４，９４が駆動することで回転軸が回転し、回転軸が回転することで支持部材が回転方向に移動する。また、支持部材が回転方向に移動することで、側方遮蔽部材２０，９０が回転軸を中心に回転方向に移動する。このため、側方遮蔽部材２０，９０は、円弧を描くように移動することで、吹出口１５の第２部分１７ａおよび第３部分１７ｂを遮蔽したり開放したりすることができる。なお、第２機構駆動用モータ２４，９４の駆動は、後述する制御部８４によって制御されている。
【００９７】
また、第２機構２９，９９は、開状態である側方遮蔽部材２０，９０を収納するための収納部２５，９５を備えている。収納部２５は、吹き出し流路において吹出口１５の第３部分１７ｂ近傍に配置されている。また、収納部９５は、吹き出し流路において吹出口１５の第２部分１７ａ近傍に配置されている。このため、吹き出し流路は、その下部において、収納部２５，９５によって３つの流路に分けられる。ここで、説明の便宜上、吹き出し流路において、その入口が２つの収納部２５，９５の上端部によって規定されており、その出口が吹出口１５の第１部分１６である流路部分を主吹き出し流路Ｂという。また、吹き出し流路において、収納部２５の上端部がその入口に位置しており、その出口が吹出口１５の第３部分１７ｂである流路部分を右側吹き出し流路Ｄという。また、吹き出し流路において、収納部９５の上端部がその入口に位置しており、その出口が吹出口１５の第２部分１７ａである流路部分を左側吹き出し流路Ｃという。すなわち、収納部２５は、主吹き出し流路Ｂと右側吹き出し流路Ｄとの間に配置されており、収納部９５は、主吹き出し流路Ｂと左側吹き出し流路Ｃとの間に配置されている。また、吹き出し流路の出口は、それぞれ、上下風向調整羽根３０、左側方遮蔽部材９０、および、右側方遮蔽部材２０によって塞がれる。具体的には、上下風向調整羽根３０によって主吹き出し流路Ｂの出口が塞がれ、左側方遮蔽部材９０によって左側吹き出し流路Ｃの出口が塞がれ、右側方遮蔽部材２０によって右側吹き出し流路Ｄの出口が塞がれる。
【００９８】
また、収納部２５，９５は、開状態である側方遮蔽部材２０，９０が収納される収納空間を形成する第１壁部２６，９６と第２壁部２７，９７とを有している。第１壁部２６，９６は、吹出口１５の第２部分１７ａ近傍または第３部分１７ｂ近傍から上方に延びている。また、第１壁部２６，９６は、側方遮蔽部材２０，９０に対応可能なように湾曲した形状を呈しており、第１壁部２６，９６の上端部（９６ａ；図１６参照）が第１壁部２６，９６の下端部（９６ｂ；図１６参照）よりも室内機本体１１の中央側に近くなるように傾斜して配置されている。
【００９９】
また、第２壁部２７，９７は、吹出口１５の第１部分１６と吹出口１５の第２部分１７ａとの境界近傍、または、吹出口１５の第１部分１６と吹出口１５の第３部分１７ｂとの境界近傍から上方に延びている。また、第２壁部２７，９７は、側方遮蔽部材２０，９０に対応可能なように湾曲した形状を呈しており、第２壁部２７，９７の上端部（９７ａ；図１６参照）が第２壁部２７，９７の下端部（９７ｂ；図１６参照）よりも室内機本体１１の中央側に近くなるように傾斜して配置されている。さらに、収納部２５，９５の上端部、すなわち、第２壁部２７，９７の上端部（９７ａ；図１６参照）と第１壁部２６，９６の上端部（９６ａ；図１６参照）とは、連続した構成となっている。
【０１００】
なお、垂直羽根１９は、吹き出し流路において、収納部２５，９５の上端部よりも室内ファン１４近傍に配置されている。また、収納部２５，９５は、側方垂直羽根部１９ｄ，１９ｅの有する羽根が揺動して傾斜した状態を採ったときに側方垂直羽根部１９ｄ，１９ｅの有する羽根の各先端部が収納部２５，９５の上端部近傍に位置するように配置されている（図４参照）。このため、垂直羽根１９が図４に示すような状態で、室内ファン１４によって空気流が生成された場合には、調和空気が左側吹き出し流路Ｃおよび右側吹き出し流路Ｄに導かれる。
【０１０１】
また、側方遮蔽部材２０，９０が開状態である場合、側方遮蔽部材２０，９０は、収納空間に収納されているため、吹出口１５の第２部分１７ａおよび吹出口１５の第３部分１７ｂから吹き出される空気流れに対して影響を与えない。したがって、垂直羽根１９によって左側吹き出し流路Ｃおよび右側吹き出し流路Ｄの各入口に導かれた調和空気は、左側方または右側方に向かって傾斜している第１壁部２６，９６の案内面（９６ｃ；図１６参照）に沿って、言い換えると、第１壁部２６，９６の案内面に規制されて、左側吹き出し流路Ｃおよび右側吹き出し流路Ｄを流れて、左側吹き出し流路Ｃおよび右側吹き出し流路Ｄの各出口から吹き出される。また、左側吹き出し流路Ｃおよび右側吹き出し流路Ｄの出口は、室内機１０の側方に向かってに開口しているため、左側吹き出し流路Ｃおよび右側吹き出し流路Ｄの出口から吹き出される空気は室内機１０の左右両側方側に向けて流れることになる。
【０１０２】
なお、図１６（ｂ）では、左側方垂直羽根部１９ｄの有する羽根の先端部が左側吹出口流路Ｃの入口近傍に位置するように描かれていないが、実際には、左側方遮蔽部材９０の状態が開状態となった場合には、左側方垂直羽根部１９ｄの有する羽根の先端部が左側吹出口流路Ｃの入口近傍に位置する。
【０１０３】
また、本実施形態では、側方垂直羽根部１９ｄ，１９ｅの有する羽根は、側方遮蔽部材２０，９０の状態が開状態である場合にのみ、その先端部が左側吹き出し流路Ｃまたは右側吹き出し流路Ｄの入口近傍に配置され、側方遮蔽部材２０，９０の状態が閉状態である場合には、その先端部が左側吹き出し流路Ｃまたは右側吹き出し流路Ｄの入口近傍から離れた位置に配置されるものとする。このため、本実施形態では、各側方遮蔽部材２０，９０が閉状態である場合に、側方垂直羽根部１９ｄ，１９ｅによって、調和空気が左側吹き出し流路Ｃまたは右側吹き出し流路Ｄに導かれたり、左側吹き出し流路Ｃまたは右側吹き出し流路Ｄの各入口が覆われたりしない構成となっている。
【０１０４】
＜制御部＞
図１７は、空気調和機１の備える制御部８４の制御ブロック図である。
【０１０５】
制御部８４は、図１７に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【０１０６】
また、リモートコントローラ８６には、運転停止ボタンや風向設定ボタン８６ａ等の複数のスイッチが設けられている。運転停止ボタンは、空調対象者によって空気調和機１の運転が停止されるときに操作されるスイッチである。また、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は空調対象者からの風向設定指令を制御信号として受信する。なお、本実施形態における風向設定指令には、調和空気が室内機１０の側方に吹き出すように空気の吹き出し方向を設定するための指令である第１指令と、調和空気が主に室内機１０の前側上方および側方に吹き出すように空気の吹き出し方向を設定するための指令である第２指令とが含まれる。
【０１０７】
また、制御部８４は、上下風向調整羽根３０および側方遮蔽部材２０，９０の状態を切り換えるための駆動制御部８５を有する。駆動制御部８５は、迫り出し機構５１，６１および角度調整機構７１を任意のタイミングで駆動させることができる。具体的には、駆動制御部８５は、２つの迫り出し機構駆動用モータ５４，６４および角度調整機構駆動用モータ７３の回転数と回転方向とを制御することで、上下風向調整羽根３０の状態を切り換える。さらに、駆動制御部８５は、２つの第２機構駆動用モータ２４，９４の回転数と回転方向とを制御することで、側方遮蔽部材２０，９０の状態を切り換える。また、駆動制御部８５は、２つの迫り出し機構駆動用モータ５４，６４のみを制御することで迫り出し機構５１，６１のみを駆動させる迫り出し機構駆動モード（第１駆動モードに相当）と、角度調整機構駆動用モータ７３のみを制御することで角度調整機構７１のみを駆動させる角度調整機構駆動モード（第２駆動モードに相当）と、２つの迫り出し機構駆動用モータ５４，６４および角度調整機構駆動用モータ７３を同時に制御することで迫り出し機構５１，６１および角度調整機構７１を同時に駆動させる同時駆動モードとを実行可能である。このため、制御部８４は、各運転モードあるいは空調対象者からの風向設定指令に応じて、室内機１０の風向状態を変更することができる。また、本実施形態では、室内機１０は、運転停止状態、第１冷房状態、第２冷房状態、第１暖房状態、第２暖房状態、および、三方風向状態の６つの風向状態を採ることが可能である。
【０１０８】
なお、室内機１０の風向状態が運転停止状態である場合、上下風向調整羽根３０および側方遮蔽部材２０，９０は、いずれも閉状態を採っている。また、室内機１０の風向状態が第１冷房状態である場合、上下風向調整羽根３０は第２開状態を採っており、側方遮蔽部材２０，９０は閉状態を採っている。室内機１０の風向状態が第２冷房状態である場合、上下風向調整羽根３０は第２開状態を採っており、側方遮蔽部材２０，９０は開状態を採っている。室内機１０の風向状態が第１暖房状態である場合、上下風向調整羽根３０は第３開状態を採っており、側方遮蔽部材２０，９０は閉状態を採っている。室内機１０の風向状態が第２暖房状態である場合、上下風向調整羽根３０は第３開状態を採っており、側方遮蔽部材２０，９０は開状態を採っている。室内機１０の風向状態が三方風向状態である場合、上下風向調整羽根３０は第１開状態を採っており、側方遮蔽部材２０，９０は開状態を採っている。
【０１０９】
例えば、空気調和機１の運転が停止している状態、すなわち、室内機１０の風向状態が運転停止状態である場合に、空調対象者からリモートコントローラ８６を介して冷房運転の開始指令が為されると、駆動制御部８５は、室内機１０の風向状態が第１冷房風向状態となるように、第１機構５０を制御する。具体的には、駆動制御部８５は、同時駆動モードを実行する。より具体的には、駆動制御部８５は、迫り出し機構駆動用モータ５４，６４および角度調整機構駆動用モータ７３を同時に制御することで、上下風向調整羽根３０の状態を閉状態から第１開状態に切り換える。そして、上下風向調整羽根３０の状態が第１開状態に切り換わると、更に、駆動制御部８５は、迫り出し機構駆動モードを実行する。具体的には、駆動制御部８５は、迫り出し機構駆動用モータ５４，６４を制御することで、上下風向調整羽根３０の状態を第１開状態から第２開状態に切り換える。なお、このとき、駆動制御部８５は第２機構駆動用モータ２４，９４を駆動させる制御を行わないため、側方遮蔽部材２０，９０は吹出口１５の第２部分１７ａおよび第３部分１７ｂを覆うように配置されており、吹出口１５の第２部分１７ａおよび第３部分１７ｂが遮蔽された状態が維持される。このため、吹出口１５の第１部分１６のみが開放される。
【０１１０】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【０１１１】
このため、空気調和機１の運転が停止している状態で、空調対象者からリモートコントローラ８６を介して冷房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の前側下方に吹き出される（図１４参照）。
【０１１２】
これによって、吹出口１５から吹き出される空気の吹き出し方向が室内機１０の前側下方となるため、室内機１０の設置されている室内空間を室内機１０の前側の空間である第１空間と第１空間よりも後側の空間である第２空間とに分けた場合、調和空気が、室内空間のうち、主に、第１空間の下部に吹き出されることになる。
【０１１３】
また、空気調和機１において室内機１０の風向状態が第１冷房状態である冷房運転が実行されているときに、リモートコントローラ８６を介して空調対象者から風向設定指令のうちの第１指令が為されると、駆動制御部８５は、室内機１０の風向状態が第１冷房状態から第２冷房風向状態となるように、第２機構２９，９９を制御する。具体的には、駆動制御部８５は、側方遮蔽部材２０，９０の状態が閉状態から開状態に切り換わるように、第２機構駆動用モータ２４，９４を制御する。なお、このとき、上下風向調整羽根３０の状態は、第２開状態が維持される。このため、吹出口１５の第１部分１６、第２部分１７ａおよび第３部分１７ｂが開放される。
【０１１４】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る（図１５参照）。
【０１１５】
そして、吹出口１５の第１部分１６に至った調和空気は、傾斜している上下風向調整羽根３０の内側面３０ａに沿って室内機１０の前側下方に向かって吹き出される。
【０１１６】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１１７】
したがって、空気調和機１において冷房運転が実行されているときに、リモートコントローラ８６を介して空調対象者から風向設定指令のうちの第１指令が為されると、吹出口１５から吹き出される空気の吹き出し方向が、室内機１０の前側下方および左右両側方に変更される。
【０１１８】
これによって、吹出口１５から吹き出される空気の吹き出し方向が室内機１０の前側下方および左右両側方となるため、第２空間のうち室内機１０の両側方の空間を特に側方部とした場合、調和空気が、室内空間のうち、主に、第１空間の下部および第２空間の側方部に吹き出されることになる。
【０１１９】
また、空気調和機１において室内機１０の風向状態が第１冷房状態である冷房運転が実行されているときに、リモートコントローラ８６を介して空調対象者から風向設定指令のうちの第２指令が為されると、駆動制御部８５は、室内機１０の風向状態が第１冷房状態から三方風向状態となるように、第１機構５０および第２機構２９，９９を制御する。具体的には、駆動制御部８５は、迫り出し機構駆動モードを実行する。より具体的には、駆動制御部８５は、迫り出し機構駆動用モータ５４，６４を制御することで、上下風向調整羽根３０の状態を第２開状態から第１開状態に切り換える。また、このとき、駆動制御部８５は、第２機構駆動用モータ２４，９４を制御することで、側方遮蔽部材２０，９０の状態を閉状態から開状態に切り換える。このため、吹出口１５の第１部分１６、第２部分１７ａおよび第３部分１７ｂが開放される。
【０１２０】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１２１】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１２２】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１２３】
したがって、空気調和機１において冷房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１２４】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１２５】
また、例えば、空気調和機１の運転が停止している状態で、空調対象者からリモートコントローラ８６を介して暖房運転の開始指令が為されると、駆動制御部８５は、室内機１０の風向状態が第１暖房風向状態となるように、第１機構５０を制御する。具体的には、駆動制御部８５は、同時駆動モードを実行する。より具体的には、駆動制御部８５は、迫り出し機構駆動用モータ５４，６４および角度調整機構駆動用モータ７３を同時に制御することで、上下風向調整羽根３０の状態を閉状態から第１開状態に切り換える。次に、上下風向調整羽根３０の状態が第１開状態に切り換わると、駆動制御部８５は、迫り出し機構駆動モードを実行する。具体的には、駆動制御部８５は、迫り出し機構駆動用モータ５４，６４を更に制御することで、上下風向調整羽根３０の状態を第１開状態から第２開状態に切り換える。そして、上下風向調整羽根３０の状態が第２開状態に切り換わると、駆動制御部８５は、角度調整機構駆動モードを実行する。具体的には、駆動制御部８５は角度調整機構駆動用モータ７３を更に制御することで、上下風向調整羽根３０の状態を第２開状態から第３開状態に切り換える。なお、このとき、駆動制御部８５は第２機構駆動用モータ２４，９４を駆動させる制御を行わないため、側方遮蔽部材２０，９０は吹出口１５の第２部分１７ａおよび第３部分１７ｂを覆うように配置されており、吹出口１５の第２部分１７ａおよび第３部分１７ｂが遮蔽された状態が維持される。このため、吹出口１５の第１部分１６のみが開放される。
【０１２６】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【０１２７】
このため、空気調和機１の運転が停止している状態で、空調対象者からリモートコントローラ８６を介して暖房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の下方に吹き出される。
【０１２８】
これによって、吹出口１５から吹き出される空気の吹き出し方向が室内機１０の下方となるため、第２空間のうち室内機１０の下方の空間を特に下部とした場合、調和空気が、室内空間のうち、主に、第２空間の下部に吹き出されることになる。
【０１２９】
また、空気調和機１において室内機１０の風向状態が第１暖房状態である場合の暖房運転が実行されているときに、リモートコントローラ８６を介して空調対象者から風向設定指令のうちの第１指令が為されると、駆動制御部８５は、室内機１０の風向状態が第１暖房状態から第２暖房風向状態となるように、第２機構２９，９９を制御する。具体的には、駆動制御部８５は、側方遮蔽部材２０，９０の状態が閉状態から開状態に切り換わるように第２機構駆動用モータ２４，９４を制御する。なお、このとき、上下風向調整羽根３０の状態は、第３開状態が維持される。このため、吹出口１５の第１部分１６、第２部分１７ａおよび第３部分１７ｂが開放される。
【０１３０】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１３１】
そして、吹出口１５の第１部分１６に至った調和空気は、傾斜している上下風向調整羽根３０の内側面３０ａに沿って室内機１０の下方に向かって吹き出される。
【０１３２】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１３３】
したがって、空気調和機１において暖房運転が実行されているときに、リモートコントローラ８６を介して空調対象者から風向設定指令のうちの第１指令が為されると、吹出口１５から吹き出される空気の吹き出し方向が、室内機１０の下方および左右両側方に変更される。
【０１３４】
これによって、吹出口１５から吹き出される空気の吹き出し方向が室内機１０の下方および左右両側方となるため、調和空気が、室内空間のうち、主に、第２空間の下部および側方部とに吹き出されることになる。
【０１３５】
また、空気調和機１において室内機１０の風向状態が第１暖房状態である場合の暖房運転が実行されているときに、リモートコントローラ８６を介して空調対象者から風向設定指令のうちの第２指令が為されると、駆動制御部８５は、室内機１０の風向状態が第１暖房状態から三方風向状態となるように、第１機構５０および第２機構２９，９９を制御する。具体的には、駆動制御部８５は、まず、角度調整機構駆動モードを実行する。より具体的には、駆動制御部８５は、角度調整機構駆動用モータ７３を制御することで、上下風向調整羽根３０の状態を第３開状態から第２開状態に切り換える。次に、駆動制御部８５は、迫り出し機構駆動モードを実行する。具体的には、迫り出し機構駆動用モータ５４，６４を制御することで、上下風向調整羽根３０の状態を第２開状態から第１開状態に切り換える。このようにして、駆動制御部８５は、上下風向調整羽根３０の状態を第３開状態から第１開状態に切り換える。なお、このとき、駆動制御部８５は、第２機構駆動用モータ２４，９４を制御することで、側方遮蔽部材２０，９０の状態を閉状態から開状態に切り換える。このため、吹出口１５の第１部分１６、第２部分１７ａおよび第３部分１７ｂが開放される。
【０１３６】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１３７】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１３８】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１３９】
したがって、空気調和機１において暖房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１４０】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１４１】
また、空気調和機１において暖房運転または冷房運転が実行されている状態で、空調対象者からリモートコントローラ８６を介して運転停止指令が為されると、駆動制御部８５は、室内機１０の風向状態が運転停止状態となるように、第１機構５０および／または第２機構２９，９９を制御する。具体的には、駆動制御部８５は、上下風向調整羽根３０の状態が第１開状態である場合には、同時駆動モードを実行する。より具体的には、駆動制御部８５は、迫り出し機構駆動用モータ５４，６４および角度調整機構駆動用モータ７３を同時に駆動することで、上下風向調整羽根３０の状態を第１開状態から閉状態に切り換える。また、駆動制御部８５は、上下風向調整羽根３０の状態が第２開状態である場合には、迫り出し機構駆動モードを実行した後、同時駆動モードを実行する。より具体的には、駆動制御部８５は、迫り出し機構駆動用モータ５４，６４を駆動することで上下風向調整羽根３０の状態を第２開状態から第１開状態に切り換えた後、迫り出し機構駆動用モータ５４，６４および角度調整機構駆動用モータ７３を同時に駆動することで上下風向調整羽根３０の状態を第１開状態から閉状態に切り換える。さらに、駆動制御部８５は、上下風向調整羽根３０の状態が第３開状態である場合には、角度調整機構駆動モードを実行した後、迫り出し機構駆動モードを実行し、さらに、同時駆動モードを実行する。より具体的には、駆動制御部８５は、まず、角度調整機構駆動用モータ７３を駆動することで上下風向調整羽根３０の状態を第３開状態から第２開状態に切り換えた後に、迫り出し機構駆動用モータ５４，６４を駆動することで上下風向調整羽根３０の状態を第２開状態から第１開状態に切り換え、更に、迫り出し機構駆動用モータ５４，６４および角度調整機構駆動用モータ７３を同時に駆動することで、上下風向調整羽根３０の状態を第１開状態から閉状態に切り換える。このようにして、駆動制御部８５は、迫り出し機構駆動用モータ５４，６４および角度調整機構駆動用モータ７３を駆動することで、上下風向調整羽根３０の状態を第１開状態、第２開状態または第３開状態から閉状態に切り換える。
【０１４２】
また、空調対象者からリモートコントローラ８６を介して運転停止指令が為されたときに、側方遮蔽部材２０，９０が開状態である場合には、駆動制御部８５は、側方遮蔽部材２０，９０の状態が開状態から閉状態に切り換わるように、第２機構駆動用モータ２４，９４を制御する。このため、吹出口１５の第１部分１６に上下風向調整羽根３０が配置され、吹出口１５の第２部分１７ａおよび第３部分１７ｂに側方遮蔽部材２０，９０が配置される状態、すなわち、吹出口１５が遮蔽された状態となる。
【０１４３】
このように、本実施形態では、上下風向調整羽根３０と、上下風向調整羽根３０とは独立して移動可能な側方遮蔽部材２０，９０とによって、種々の吹き出し方向を採ることができる。なお、本実施形態では、室内機１０が採ることが可能な風向状態を、運転停止状態、第１冷房状態、第２冷房状態、第１暖房状態、第２暖房状態、および、三方風向状態としているが、これに限定されず、上下風向調整羽根３０の状態および側方遮蔽部材２０，９０の状態の組み合わせによって室内機１０が他の風向状態を採ってもよい。
【０１４４】
＜特徴＞
（１）
上記実施形態では、上下風向調整羽根３０は、迫り出し機構５１，６１によって吹出口１５の第１部分１６から第１連結部３２までの距離が調整され、角度調整機構７１によって吹出口１５の第１部分１６から第２連結部３３までの距離が調整されることで、吹出口１５において第１部分１６に相当する開口面に対する傾斜角度が変更されている。このため、連結部３２，３３を移動させることによって室内機ケーシング１２内部の部材と干渉しない位置まで上下風向調整羽根３０を移動させた後に、吹出口１５において第１部分１６に相当する開口面に対する上下風向調整羽根３０の傾斜角度を変更することができる。
【０１４５】
これによって、上下風向調整羽根３０と室内機ケーシング１２内部の部材とが干渉するおそれを減らすことができている。
【０１４６】
（２）
上記実施形態では、迫り出し機構５１，６１によって、吹出口１５の第１部分１６に対する第１連結部３２の位置が移動されている。すなわち、迫り出し機構５１，６１は、第１連結部３２を、所定位置から前記所定位置とは別の所定位置まで移動させることができる。このため、所定位置に配置されている第１連結部３２を、所定位置とは異なる位置に移動させることができている。
【０１４７】
（３）
上記実施形態では、迫り出し機構５１，６１は、上下風向調整羽根３０が吹出口１５近傍から迫り出されるように、第１連結部３２をスライド移動させている。このため、上下風向調整羽根３０が吹出口１５近傍から迫り出されるように上下風向調整羽根３０を移動させることができている。
【０１４８】
（４）
上記実施形態では、角度調整機構７１は、第１連結部３２に軸支されている支持軸５７，６７を中心に第２連結部３３を移動させることで、吹出口１５の第１部分１６に対して所定位置に配置されている第２連結部３３を、前記所定位置とは別の位置に移動させることができる。このため、第２連結部３３を所定位置から前記所定位置とは異なる位置まで移動させることができている。
【０１４９】
（５）
上記実施形態では、角度調整機構７１は、上下風向調整羽根３０の第２連結部３３を押し引きすることで、第２連結部３３を移動させている。このため、第２連結部３３を移動させることができている。
【０１５０】
（６）
上記実施形態では、軸支部３２ａ，３３ａによって、支持軸５７，６７，７８が支持されている。このため、上下風向調整羽根３０の状態が第２開状態から第３開状態に切り換わるときに回転軸として機能する支持軸５７，６７を上下風向調整羽根３０と共に吹出口１５の第１部分１６から離れた位置に移動させることができている。
【０１５１】
（７）
上記実施形態では、迫り出し機構駆動用モータ５４，６４および角度調整機構駆動用モータ７３は、取り付け板８０とともに室内機ケーシング１２の内部に収納されている。このため、吹出口１５が開放されても、迫り出し機構駆動用モータ５４，６４および角度調整機構駆動用モータ７３が目立つおそれを減らすことができている。
【０１５２】
（８）
上記実施形態では、第１連結部３２は、上下風向調整羽根３０において互いに離れた２箇所に配置されている。また、迫り出し機構５１，６１は、上下風向調整羽根３０の２箇所の第１連結部３２とそれぞれ連結している。このため、例えば、迫り出し機構との連結部が上下風向調整羽根に１箇所だけ設けられている場合と比較して、上下風向調整羽根を安定して移動させることができる。
【０１５３】
（９）
上記実施形態では、第１連結部３２は、上下風向調整羽根３０の両端部３０ｇ，３０ｈ近傍に配置されている。このため、上下風向調整羽根３０の両端部３０ｇ，３０ｈにおいて、上下風向調整羽根３０の回転軸として機能する支持軸５７，６７を支持することができている。
【０１５４】
（１０）
上記実施形態では、駆動制御部８５は、迫り出し機構５１，６１および角度調整機構７１を任意のタイミングで駆動させる。また、駆動制御部８５は、迫り出し機構５１，６１のみを駆動させる迫り出し機構駆動モードと、角度調整機構７１のみを駆動させる角度調整機構駆動モードとを実行可能である。このため、迫り出し機構５１，６１および角度調整機構７１の少なくともいずれか一方の機構を駆動させることができている。
【０１５５】
（１１）
上記実施形態では、第１迫り出し機構５１は、迫り出し機構駆動用モータ５４を有しており、第２迫り出し機構６１は、迫り出し機構駆動用モータ６４を有している。すなわち、各迫り出し機構５１，６１は、それぞれ独立した迫り出し機構駆動用モータ５４，６４を有している。したがって、各迫り出し機構５１，６１が有するピニオン歯車５２，６２車同士を結ぶ連結棒や軸受等のスペースを設ける必要がなく、かつ、低トルクでサイズの小さいステッピングモータを採用することができている。
【０１５６】
（１２）
上記実施形態では、上下風向調整羽根３０が２つの第１連結部３２と第２連結部３３の３点て支持されている。また、２つの第１連結部３２は上下風向調整羽根３０の両端部３０ｇ，３０ｈ近傍に配置されており、第２連結部３３は上下風向調整羽根３０の略中央付近に配置されている。このため、例えば、２つの第１連結部および第２連結部が上下風向調整羽根の略中央付近に配置される場合と比較して、上下風向調整羽根３０を支持する３点を含む面の面積を大きくすることができている。したがって、上下風向調整羽根３０の姿勢を安定して維持することができている。
【０１５７】
＜変形例＞
（Ａ）
上記実施形態では、第１迫り出し機構５１は迫り出し機構駆動用モータ５４を有しており、第２迫り出し機構６１は迫り出し機構駆動用モータ６４を有している。また、２つの迫り出し機構５１，６１は、各迫り出し機構駆動用モータ５４，６４が駆動されることによって、上下風向調整羽根３０を移動させている。言い換えると、１つのモータによって、１つの迫り出し機構が駆動される構成となっている。
【０１５８】
これに代えて、１つのモータによって、２つの迫り出し機構が駆動されてもよい。
【０１５９】
例えば、２つの迫り出し機構のうちのいずれか一方のみが迫り出し機構駆動用モータを備えており、各迫り出し機構の備えるピニオン歯車同士が連結棒によって連結されている場合には、迫り出し機構駆動用モータの回転が、迫り出し機構駆動用モータの駆動軸に連結されているピニオン歯車だけでなく、連結棒によって他方のピニオン歯車にも伝達される。また、各ピニオン歯車が回転されることで各移動部材が移動され、各移動部材の移動に伴って上下風向調整羽根の位置を移動させることができる。
【０１６０】
このように、２つの迫り出し機構を１つの迫り出し機構駆動用モータで駆動することで、モータの数を減らすことができる。
【０１６１】
これによって、部品点数を削減することができるため、低コストを実現することができる。また、ピニオン歯車同士が連結棒によって連結されているため、一方のピニオン歯車の回転に同期して他方のピニオン歯車を回転させることができる。したがって、上下風向調整羽根の位置を手動で動かされた場合でも、各移動部材が平行して移動しやすくすることができる。
【０１６２】
（Ｂ）
上記実施形態では、本発明の第１機構５０が、室内の壁面に取り付けられる壁掛型の室内機１０に採用されている。これに代えて、第１機構が、天井に埋め込まれるように室内機が配置される天井埋込型の室内機に採用されてもよい。
【０１６３】
（Ｃ）
上記実施形態では、室内機１０が１つの角度調整機構７１と２つの迫り出し機構５１，６１とを備えている。
【０１６４】
これに代えて、室内機が１つの角度調整機構と１つの迫り出し機構とを備えていてもよく、１つの角度調整機構と３つ以上の迫り出し機構とを備えていてもよい。
【０１６５】
例えば、１つの角度調整機構と１つの迫り出し機構とを備える室内機の場合には、角度調整機構と上下風向調整羽根とを連結するための連結部および迫り出し機構と上下風向調整羽根とを連結するための連結部を上下風向調整羽根の長手方向に長い形状に設け、それぞれの連結部が上下風向調整羽根の前側端部近傍および後側端部近傍に平行に配置されてもよい。このような連結部の構成にすることによって、１つの角度調整機構および１つの迫り出し機構であっても、吹出口に対する上下風向調整羽根の傾斜角度を変更することができる。
【０１６６】
また、例えば、１つの角度調整機構と３つの迫り出し機構とを備える室内機の場合には、各迫り出し機構との各連結部が、上下風向調整羽根の両端部近傍と、上下風向調整羽根の略中央付近、すなわち、角度調整機構との連結部近傍とに配置されてもよい。このため、各迫り出し機構は、上下風向調整羽根の両端部近傍および角度調整機構近傍に配置される。このように、迫り出し機構が複数ある場合には、２つの迫り出し機構によって上下風向調整羽根が迫り出し移動される場合と比較して、上下風向調整羽根を安定して移動させることができる。
【０１６７】
また、上記実施形態では、室内機１０が１つの角度調整機構７１を備えている。
【０１６８】
これに代えて、室内機が複数の角度調整機構を備えていてもよい。室内機が複数の角度調整機構を備えている場合には、１つの角度調整機構によって上下風向調整羽根の吹出口に対する傾斜角度が変更される場合と比較して、上下風向調整羽根を安定して移動させることができる。
【０１６９】
（Ｄ）
上記実施形態では、吹出口１５が室内機１０の下部近傍に形成されている。これに代えて、吹出口が室内機の前部に設けられていてもよい。具体的には、吹出口が室内機ケーシングの前面から両側面に連続して形成されていてもよい。
【０１７０】
（Ｅ）
上記実施形態では、吹出口１５が、室内機ケーシング１２の底面から両側面にかけて連続して形成されており、上下風向調整羽根３０および側方遮蔽部材２０，９０によって覆われている。これに代えて、吹出口が室内機ケーシングの底面にのみ形成されており、吹出口が上下風向調整羽根のみによって覆われているような室内機の構成であってもよい。
【０１７１】
（Ｆ）
上記実施形態では、迫り出し機構５１，６１と角度調整機構７１とは、上下風向調整羽根３０の状態が閉状態から第１開状態に移行するまでの間および第１開状態から閉状態に移行するまでの間は同時に駆動されており、第１開状態から第２開状態または第３開状態に移行するまでの間および第３開状態または第２開状態から第１開状態に移行するまでの間は、別々に駆動されている。
【０１７２】
これに代えて、上下風向調整羽根の状態が第１開状態から第２開状態または第３開状態に移行するまでの間および第３開状態または第２開状態から第１開状態に移行するまでの間についても、迫り出し機構および角度調整機構が同時に駆動されてもよい。
【０１７３】
また、上下風向調整羽根の状態が閉状態から第１開状態に移行するまでの間および第１開状態から閉状態に移行するまでの間についても、迫り出し機構および角度調整機構７１が別々に駆動されてもよい。
【０１７４】
（Ｇ）
上記実施形態では、吹出口１５の第１部分１６に対する上下風向調整羽根３０の傾斜角度は、迫り出し機構５１，６１および角度調整機構７１によって変更されている。
【０１７５】
これに代えて、角度調整機構の代わりに、上記実施形態の迫り出し機構５１，６１と同様の機構が用いられてもよい。言い換えると、３つの迫り出し機構によって、吹出口において第１部分に相当する開口面に対する上下風向調整羽根の傾斜角度が変更されてもよい。
【産業上の利用可能性】
【０１７６】
本発明は、吹出口に対する上下風向調整羽根の傾斜角度が変更される場合に、上下風向調整羽根と室内機ケーシング内部の部材とが干渉するおそれを減らすことができるため、上下風向調整羽根を備える空気調和機の室内機への適用が有効である。
【符号の説明】
【０１７７】
１０      室内機
１２      室内機ケーシング（ケーシング）
１５      吹出口
３０      上下風向調整羽根（上下風向調整板）
３２      第１連結部（第１部分）
３２ａ    軸支部
３３      第２連結部（第２部分）
５１      第１迫り出し機構／迫り出し機構（第１移動機構）
６１      第２迫り出し機構／迫り出し機構（第１移動機構）
７１      角度調整機構（第２移動機構）
７３      角度調整機構駆動用モータ（駆動源）
８５      駆動制御部（制御部）
５４，６４  迫り出し機構駆動用モータ（駆動源）
５７，６７  支持軸（回転軸）
【先行技術文献】
【特許文献】
【０１７８】
【特許文献１】特開平５−２５６５０６号公報
【図１】
2011021762.tif 000003
【図２】
2011021762.tif 000004
【図３】
2011021762.tif 000005
【図４】
2011021762.tif 000006
【図５】
2011021762.tif 000007
【図６】
2011021762.tif 000008
【図７】
2011021762.tif 000009
【図８】
2011021762.tif 000010
【図９】
2011021762.tif 000011
【図１０】
2011021762.tif 000012
【図１１】
2011021762.tif 000013
【図１２】
2011021762.tif 000014
【図１３】
2011021762.tif 000015
【図１４】
2011021762.tif 000016
【図１５】
2011021762.tif 000017
【図１６】
2011021762.tif 000018
【図１７】
2011021762.tif 000019
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
空気の吹出口（１５）が形成されているケーシング（１２）と、
前記吹出口近傍に配置される上下風向調整板（３０）と、
ピニオン歯車（５２，６２）と前記ピニオン歯車と噛み合うラック（５６，６６）とを有し、前記上下風向調整板の第１回転軸（５７，６７）を支持するための第１軸支部（３２ａ）を含む第１部分（３２）と前記ラックとが連結しており、前記吹出口近傍から前記上下風向調整板が迫り出されるように前記第１部分をスライド移動させることで、前記第１部分を前記吹出口から離れる方向に移動させることが可能な第１移動機構（５１，６１）と、
アーム（７５）を含むリンク機構（７２）を有し、前記上下風向調整板において前記第１部分とは別の第２部分（３３）と前記アームとが連結しており、前記第２部分を前記吹出口から離れる方向に移動させることが可能な第２移動機構（７１）と、
を備え、
前記第１移動機構は、前記吹出口に対して第１所定位置に配置されている前記第１部分を、前記吹出口に対して前記第１所定位置とは別の第２所定位置に移動させ、
前記第２移動機構は、前記第１回転軸を中心として前記第２部分を押し引きすることで、前記吹出口に対して第３所定位置に配置されている前記第２部分を前記吹出口に対して前記第３所定位置とは別の第４所定位置に移動させ、
前記上下風向調整板は、前記第１移動機構によって前記吹出口から前記第１部分までの距離が調整され、前記第２移動機構によって前記吹出口から前記第２部分までの距離が調整されることで、前記吹出口に対する傾斜角度が変更される、
空気調和機の室内機（１０）。
【請求項２】
前記第１移動機構および前記第２移動機構を駆動するための駆動源（５４，６４，７３）は、前記ケーシング内に収納されている、
請求項１に記載の空気調和機の室内機。
【請求項３】
前記第１部分は、前記上下風向調整板において、互いに離れた２箇所に配置されており、
前記第１移動機構は、前記上下風向調整板の前記２箇所の第１部分とそれぞれ連結している、
請求項１または２に記載の空気調和機の室内機。
【請求項４】
前記２箇所の第１部分は、前記上下風向調整板の両端部近傍にそれぞれ配置されている、
請求項３に記載の空気調和機の室内機。
【請求項５】
前記第１移動機構および前記第２移動機構の駆動を制御する制御部（８５）を更に備え、
前記制御部は、前記第１移動機構および前記第２移動機構を任意のタイミングで駆動させる、
請求項１から４のいずれかに記載の空気調和機の室内機。
【請求項６】
前記制御部は、前記第１移動機構のみを駆動させる第１駆動モードを実行可能である、
請求項５に記載の空気調和機の室内機。
【請求項７】
前記制御部は、前記第２移動機構のみを駆動させる第２駆動モードを実行可能である、
請求項５または６に記載の空気調和機の室内機。
【請求項８】
前記第２部分は、前記上下風向調整板の第２回転軸（７８）を支持するための第２軸支部（３３ａ）を含む、
請求項１から７のいずれかに記載の空気調和機の室内機。
【手続補正２】
【補正対象書類名】明細書
【補正対象項目名】全文
【補正方法】変更
【補正の内容】
【発明の詳細な説明】
【技術分野】
【０００１】
本発明は空気調和機の室内機に関する。
【背景技術】
【０００２】
従来より、空気調和機の室内機には、調和空気が吹き出される空気の吹出口を開閉する上下風向調整板を備えているものがある。また、このような空気調和機の室内機には、上下風向調整板が回転軸を中心に回動することで吹出口に対する傾斜角度が調整されて、吹き出される空気の風向を調整可能なものがある。
【０００３】
例えば、特許文献１（特開平５−２５６５０６号公報）に開示されている空気調和機では、室内ユニット本体（室内機に相当）の吹出口近傍に、風向可変ルーバ（上下風向調整板に相当）が配置されている。また、この空気調和機では、風向可変ルーバが支点（回転軸に相当）を介して回動されることで、吹き出される空気の方向が変更されている。
【発明の概要】
【発明が解決しようとする課題】
【０００４】
ところで、このような空気調和機の室内機において、上下風向調整板の吹出口に対する傾斜角度が所定角度以上の角度になることで、上下風向調整板の一部が吹出口からケーシング内部に侵入してしまうことがある。このため、上下風向調整板とケーシング内部に収容されている部材とが干渉するおそれがある。
【０００５】
そこで、本発明の課題は、上下風向調整板とケーシング内部の部材とが干渉するおそれを減らすことができる空気調和機の室内機を提供することにある。
【課題を解決するための手段】
【０００６】
第１発明に係る空気調和機の室内機は、ケーシングと、上下風向調整板と、第１移動機構と、第２移動機構とを備えている。ケーシングには、空気の吹出口が形成されている。上下風向調整板は、吹出口近傍に配置されている。第１移動機構は、ピニオン歯車と、ピニオン歯車と噛み合うラックとを有する。ラックは、上下風向調整板の第１回転軸を支持するための第１軸支部を含む第１部分と連結している。また、第１移動機構は、吹出口近傍から上下風向調整板が迫り出されるように、第１部分をスライド移動させることで、第１部分を吹出口から離れる方向に移動させることが可能である。さらに、第１移動機構は、吹出口に対して第１所定位置に配置されている第１部分を、吹出口に対して第１所定位置とは別の第２所定位置に移動させる。第２移動機構は、アームを含むリンク機構を有する。アームは、上下風向調整板において第１部分とは別の第２部分と連結している。また、第２移動機構は、第２部分を吹出口から離れる方向に移動させることが可能である。さらに、第２移動機構は、第１回転軸を中心として第２部分を押し引きすることで、吹出口に対して第３所定位置に配置されている第２部分を吹出口に対して第３所定位置とは別の第４所定位置に移動させる。上下風向調整板は、第１移動機構によって吹出口から第１部分までの距離が調整され、第２移動機構によって吹出口から第２部分までの距離が調整されることで、吹出口に対する傾斜角度が変更される。
【０００７】
第１発明に係る空気調和機の室内機では、第１移動機構によって吹出口から第１部分までの距離が調整され、第２移動機構によって吹出口から第２部分までの距離が調整されることで、上下風向調整板の吹出口に対する傾斜角度が変更されている。このため、例えば、第１部分と第２部分とが吹出口から離れる方向に移動することで上下風向調整板が吹出口から離反する場合には、上下風向調整板がケーシング内部の部材に干渉しない位置まで第１部分および第２部分を移動した後に上下風向調整板の吹出口に対する傾斜角度を変更することができる。
【０００８】
これによって、上下風向調整板とケーシング内部の部材とが干渉するおそれを減らすことができる。
【０００９】
また、第１部分が上下風向調整板の第１回転軸を支持するための第１軸支部を含むことから、上下風向調整板の回転軸を、吹出口から離れた位置に移動させることができる。
【００１０】
第２発明に係る空気調和機の室内機は、第１発明の空気調和機の室内機であって、第１移動機構および第２移動機構を駆動するための駆動源は、ケーシング内に収納されている。このため、第１移動機構および第２移動機構によって第１部分および第２部分が移動されることで上下風向調整板が吹出口から離反しても、駆動源が目立つおそれを減らすことができる。
【００１１】
第３発明に係る空気調和機の室内機は、第１発明または第２発明の空気調和機の室内機であって、第１部分は、上下風向調整板において、互いに離れた２箇所に配置されている。また、第１移動機構は、上下風向調整板の２箇所の第１部分とそれぞれ連結している。このため、例えば、上下風向調整板と第１移動機構との連結部分が１箇所だけである場合と比較して、上下風向調整板を安定して移動させることができる。
【００１２】
第４発明に係る空気調和機の室内機は、第３発明の空気調和機の室内機であって、２箇所の第１部分は、上下風向調整板の両端部近傍にそれぞれ配置されている。また、２箇所の第１部分は、上下風向調整板の回転軸を支持するための軸支部を含む。このため、この空気調和機の室内機では、上下風向調整板の両端部において上下風向調整板の回転軸を支持することができる。
【００１３】
第５発明の空気調和機の室内機は、第１発明から第４発明のいずれかの空気調和機の室内機であって、第１移動機構および第２移動機構の駆動を制御する制御部を更に備える。また、制御部は、第１移動機構および第２移動機構を任意のタイミングで駆動させる。このため、この空気調和機の室内機では、第１移動機構および第２移動機構を任意のタイミングで駆動させることができる。
【００１４】
第６発明の空気調和機の室内機は、第５発明の空気調和機の室内機であって、制御部は、第１移動機構のみを駆動させる第１駆動モードを実行可能である。このため、この空気調和機の室内機では、第１移動機構のみを駆動させることができる。
【００１５】
第７発明の空気調和機の室内機は、第５発明または第６発明の空気調和機の室内機であって、制御部は、第２移動機構のみを駆動させる第２駆動モードを実行可能である。このため、この空気調和機の室内機では、第２移動機構をのみを駆動させることができる。
【００１６】
第８発明の空気調和機の室内機は、第１発明から第７発明のいずれかの空気調和機の室内機であって、第２部分は、上下風向調整板の第２回転軸を支持するための第２軸支部を含む。このため、この空気調和機の室内機では、上下風向調整板の回転軸を、吹出口から離れた位置に移動させることができる。
【発明の効果】
【００１７】
第１発明に係る空気調和機の室内機では、上下風向調整板とケーシング内部の部材とが干渉するおそれを減らすことができる。
【００１８】
第２発明に係る空気調和機の室内機では、駆動源が目立つおそれを減らすことができる。
【００１９】
第３発明に係る空気調和機の室内機では、上下風向調整板を安定して移動させることができる。
【００２０】
第４発明に係る空気調和機の室内機では、上下風向調整板の両端部において上下風向調整板の回転軸を支持することができる。
【００２１】
第５発明に係る空気調和機の室内機では、第１移動機構および第２移動機構を任意のタイミングで駆動させることができる。
【００２２】
第６発明に係る空気調和機の室内機では、第１移動機構のみを駆動させることができる。
【００２３】
第７発明に係る空気調和機の室内機では、第２移動機構をのみを駆動させることができる。
【００２４】
第８発明に係る空気調和機の室内機では、上下風向調整板の回転軸を、吹出口から離れた位置に移動させることができる。
【図面の簡単な説明】
【００２５】
【図１】本発明の実施形態に係る室内機を備える空気調和機の概略冷媒回路図。
【図２】空気調和機の冷房運転時であって、第１冷房状態である場合の室内機の外観斜視図。
【図３】空気調和機の暖房運転時であって、第１暖房状態である場合の室内機の外観斜視図。
【図４】室内機の概略断面図。
【図５】上下風向調整羽根の平面図。
【図６】上下風向調整羽根の断面図（図５のVI-VI断面に相当）。
【図７】上下風向調整羽根の外観斜視図。
【図８】上下風向調整羽根の状態が第１開状態である場合の上下風向調整羽根および第１機構の平面図であって、上下風向調整羽根と第１機構との位置関係を示す概念図。
【図９】上下風向調整羽根が閉状態である場合の吹出口近傍の概略斜視図（側方遮蔽部材は省略）。
【図１０】上下風向調整羽根が第１開状態である場合の吹出口近傍の概略斜視図（側方遮蔽部材は省略）。
【図１１】上下風向調整羽根が第２開状態である場合の吹出口近傍の概略斜視図（側方遮蔽部材は省略）。
【図１２】上下風向調整羽根が第３開状態である場合の吹出口近傍の概略斜視図（側方遮蔽部材は省略）。
【図１３】上下風向調整羽根および側方遮蔽部材が閉状態である室内機において、（ａ）左側方遮蔽部材近傍の正面図、（ｂ）左側方遮蔽部材近傍の斜視図。
【図１４】上下風向調整羽根が第２開状態であって、側方遮蔽部材が閉状態である室内機において、（ａ）左側方遮蔽部材近傍の正面図、（ｂ）左側方遮蔽部材近傍の斜視図。
【図１５】上下風向調整羽根が第２開状態であって、側方遮蔽部材が開状態である室内機において、（ａ）左側方遮蔽部材近傍の正面図、（ｂ）左側方遮蔽部材近傍の斜視図。
【図１６】（ａ）上下風向調整羽根が第２開状態であって側方遮蔽部材が閉状態である室内機における左側方遮蔽部材近傍の概略部分断面図、（ｂ）上下風向調整羽根が第２開状態であって側方遮蔽部材が開状態である室内機における左側方遮蔽部材近傍の概略部分断面図。
【図１７】空気調和機の備える制御部の制御ブロック図。
【発明を実施するための形態】
【００２６】
以下、図面を参照しながら本発明の一実施形態に係る室内機１０を備える空気調和機１について説明する。なお、以下の実施形態は、本発明の具体例であって、本発明の技術的範囲を限定するものではない。
【００２７】
＜空気調和機の構成概略＞
図１は、空気調和機１の概略冷媒回路図である。図２は、空気調和機１の冷房運転時であって、第１冷房状態である場合の室内機１０の斜視図である。図３は、空気調和機１の暖房運転時であって、第１暖房状態である場合の室内機１０の斜視図である。
【００２８】
空気調和機１は、室内の壁面に取り付けられる室内機１０と、室外に設置される室外機２とを備えており、冷房運転および暖房運転等の各種運転を実行することができる。
【００２９】
室外機２は、圧縮機３と、圧縮機３の吐出側に接続されている四路切換弁４と、圧縮機３の吸入側に接続されるアキュムレータ５と、四路切換弁４に接続されている室外熱交換器６と、室外熱交換器６に接続された室外膨張弁７とを有している。室外膨張弁７は、冷媒配管８を介して後述する室内熱交換器１３の一端と接続される。また、四路切換弁４は、冷媒配管８を介して室内熱交換器１３の他端と接続されている。また、室外機２内には、室外ファン９が設けられている。室外ファン９は、室外の空気を取り込み、室外熱交換器６での熱交換後の空気を室外機２外部に排出するプロペラファンである。
【００３０】
室内機１０は、図２に示すように、室内の壁面Ｗ等に取り付けられる壁掛け型の室内機１０である。また、室内機１０は、図２および図３に示すように、主として、室内機本体１１と、上下風向調整羽根３０と、側方遮蔽部材２０，９０と、第１機構５０と、第２機構２９，９９（図１７参照）と、を備えている。以下に、室内機本体１１、上下風向調整羽根３０、側方遮蔽部材２０，９０、第１機構５０、第２機構２９，９９の順に説明する。
【００３１】
＜室内機本体の構成＞
図４は、室内機１０の概略断面図である。
【００３２】
室内機本体１１は、主に、室内機ケーシング１２と、室内熱交換器１３と、室内ファン１４と、垂直羽根１９とを備えている。
【００３３】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口（図示せず）と、吹出口１５とが形成されている。取込口は、室内の空気を室内機ケーシング１２の内側に取り込むための開口であって、室内機ケーシング１２の上部に形成されている。
【００３４】
また、吹出口１５は、室内機本体１１内で調和された空気を吹き出すための開口であって、室内機１０の下部近傍に形成されている。具体的には、吹出口１５は、室内機ケーシング１２の底面から両側面にかけて連続して形成されている。このため、吹出口１５は、室内機１０の側面視において、その一部を視認可能である。
【００３５】
また、室内機ケーシング１２内には、取込口から吹出口１５に至る空気流路が形成されている。この空気流路内には、室内ファン１４、室内熱交換器１３および垂直羽根１９等が配置されている。また、この空気流路には、室内ファン１４から垂直羽根１９を介して吹出口１５に至るまでの流路部分である吹き出し流路が含まれる。
【００３６】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３７】
室内ファン１４は、モータ１４ａ（図１参照）と、モータ１４ａにより回転駆動される羽根車とを有するクロスフローファンである。また、室内ファン１４は、取込口から室内機ケーシング１２内に空気を吸入し、室内熱交換器１３を通過させた後に、吹出口１５から室内機ケーシング１２外に空気を吹き出すことができるように配置されている。
【００３８】
垂直羽根１９は、上述のように、吹き出し流路に配置されている。垂直羽根１９は、駆動モータ（図示せず）と、連結棒（図示せず）と、連結棒によって連結された複数枚の羽根１９ａ（図２および図３参照）とを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向における調和空気の吹き出し方向を調整する。
【００３９】
また、垂直羽根１９は、図４に示すように、主垂直羽根部１９ｃと、主垂直羽根部１９ｃの両側にそれぞれ配置される側方垂直羽根部１９ｄ，１９ｅとを含む。側方垂直羽根部１９ｄ，１９ｅは、室内機１０の正面視において、主垂直羽根部１９ｃの左側に位置する左側方垂直羽根部１９ｄと、主垂直羽根部１９ｃの右側に位置する右側方垂直羽根部１９ｅとから構成される。また、主垂直羽根部１９ｃの有する複数の羽根と左側方垂直羽根部１９ｄの有する羽根と右側方垂直羽根部１９ｅの有する羽根とは、それぞれ別の連結棒によって連結されている。このため、主垂直羽根部１９ｃと左側方垂直羽根部１９ｄと右側方垂直羽根部１９ｅとは、それぞれ異なる方向に揺動することができる。
【００４０】
＜上下風向調整羽根の構成＞
図５は、上下風向調整羽根３０の平面図である。図６は、上下風向調整羽根３０の断面図である。図７は、上下風向調整羽根３０の外観斜視図である。図８は、上下風向調整羽根３０の状態が第１開状態である場合の上下風向調整羽根３０および第１機構５０の平面図であって、上下風向調整羽根３０と第１機構５０との位置関係を示す概念図である。図９は、上下風向調整羽根３０が閉状態である場合の吹出口１５近傍の概略斜視図である。図１０は、上下風向調整羽根３０が第１開状態である場合の吹出口１５近傍の概略斜視図である。図１１は、上下風向調整羽根３０が第２開状態である場合の吹出口１５近傍の概略斜視図である。図１２は、上下風向調整羽根３０が第３開状態である場合の吹出口１５近傍の概略斜視図である。なお、図９、図１０、図１１および図１２では、側方遮蔽部材２０，９０を省略して描いている。
【００４１】
上下風向調整羽根３０は、室内機１０の長手方向（水平方向）に長い板状の部材である。また、上下風向調整羽根３０は、室内機１０の下部に配置されている。具体的には、上下風向調整羽根３０は、吹出口１５において、室内機ケーシング１２の底面に形成されている開口部分近傍に配置されている。
【００４２】
さらに、上下風向調整羽根３０は、後述する第１機構５０と連結する連結部３２，３３を有する。連結部３２，３３は、上下風向調整羽根３０において、上下風向調整羽根３０が吹出口１５を覆っている状態で、室内機１０の外部から視認することができる面（以下、外側面３０ｂという）とは反対側の面（以下、内側面３０ａという）に配置されている。また、連結部３２，３３は、第１連結部３２と、第２連結部３３とを含む。第１連結部３２は、図５に示すように、上下風向調整羽根３０において互いに離れた２箇所に配置されている。具体的には、第１連結部３２は、図５および図８に示すように、上下風向調整羽根３０の両端部３０ｇ，３０ｈ近傍であって、上下風向調整羽根３０の一方の長辺（以下、第１長辺３０ｃという）近傍にそれぞれ配置されている。第２連結部３３は、図５に示すように、上下風向調整羽根３０の長手方向の略中央付近であって、上下風向調整羽根３０の第１長辺３０ｃに対向する辺である第２長辺３０ｄ近傍に配置されている。
【００４３】
また、第１連結部３２および第２連結部３３は、図５および図６に示すように、それぞれ軸支部３２ａ，３３ａを含む。各軸支部３２ａ，３３ａは、後述する支持軸５７，６７，７８を回転可能に軸支している。また、各軸支部３２ａ，３３ａは、摺動性に優れた部材（高摺動部材）によって構成されており、摩擦を抑えて支持軸５７，６７，７８を滑らかに回転させることができる。
【００４４】
さらに、上下風向調整羽根３０は、４つの状態（閉状態、第１開状態、第２開状態、および、第３開状態）を採ることが可能である。なお、以下より、説明の便宜上、吹出口１５において、上下風向調整羽根３０の状態が閉状態である場合に風向調整羽根３０によって覆われる部分、すなわち、上下風向調整羽根３０の状態が閉状態である場合に上下風向調整羽根３０の配置されている空間を、吹出口１５の第１部分１６という。また、本実施形態における「遮蔽」とは、吹出口１５の所定部分を覆うことが可能な部材によって、前記所定部分の略全部が覆われている状態を意味しており、本実施形態における「開放」とは、吹出口１５の所定部分を覆うことが可能な部材によって、前記所定部分の略全部が覆われていない状態を意味している。例えば、吹出口１５の第１部分１６の略全体が上下風向調整羽根３０によって覆われている状態を吹出口１５の第１部分１６が遮蔽されている状態とし、吹出口１５の第１部分１６の略全体が上下風向調整羽根３０によって覆われていない状態を、吹出口１５の第１部分１６が開放されている状態とする。
【００４５】
上下風向調整羽根３０の状態が閉状態の場合、図９に示すように、上下風向調整羽根３０は、吹出口１５の第１部分１６を覆うように配置される。このため、上下風向調整羽根３０の状態が閉状態の場合には、上下風向調整羽根３０によって吹出口１５の第１部分１６が遮蔽される。
【００４６】
上下風向調整羽根３０の状態が第１開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図１０に示すように、吹出口１５の第１部分１６、すなわち、吹出口１５において第１部分１６に相当する開口面に対して略平行に対向するように配置される。言い換えると、吹出口１５の第１部分１６の長手方向を「左右方向」とし吹出口１５の第１部分１６の長手方向に直交する方向を「前後方向」とすると、上下風向調整羽根３０は、図１０に示すように、吹出口１５において第１部分１６に相当する開口面に対して、左右方向および前後方向に対して傾斜しないように配置されている。
【００４７】
上下風向調整羽根３０の状態が第２開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図１１に示すように、吹出口１５において第１部分１６に相当する開口面に対して所定角度だけ傾斜するように配置される。言い換えると、上下風向調整羽根３０は、上下風向調整羽根３０において吹出口１５の第１部分１６の前後方向の後側に近い側の端部、すなわち、上下風向調整羽根３０の第２長辺３０ｄを含む端部（以下、後側端部３０ｅという）が、上下風向調整羽根３０において後側端部３０ｅに対向する端部（以下、前側端部３０ｆという）よりも吹出口１５の第１部分１６に対して近くなるように、傾斜して配置される。したがって、上下風向調整羽根３０が第２開状態の場合には、室内機１０の正面視において、上下風向調整羽根３０の内側面３０ａが視認可能である。なお、上述の前側端部３０ｆとは、上下風向調整羽根３０において吹出口１５の第１部分１６の前後方向の前側に近い側の端部であって、上下風向調整羽根３０の第１長辺３０ｃを含む端部のことである。
【００４８】
また、上下風向調整羽根３０の状態が第２開状態である場合、上下風向調整羽根３０は、吹出口１５において第１部分１６に相当する開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、上下風向調整羽根３０の状態が第２開状態である場合に吹出口１５から吹き出された空気が向かう方向を前側下方といい、上下風向調整羽根３０の状態が第１開状態である場合に吹出口１５から吹き出された空気が向かう方向を前側上方という。
【００４９】
上下風向調整羽根３０の状態が第３開状態の場合、上下風向調整羽根３０は、吹出口１５の第１部分１６を開放し、かつ、吹出口１５の第１部分１６から室内機１０の下方に空気が吹き出されるように配置される。具体的には、上下風向調整羽根３０は、図１２に示すように、吹出口１５において第１部分１６に相当する開口面に対して所定角度だけ傾斜するように配置される。より具体的には、上下風向調整羽根３０の前側端部３０ｆが、上下風向調整羽根３０の後側端部３０ｅよりも吹出口１５の第１部分１６に近くなるように上下風向調整羽根３０が傾斜して配置される。このため、上下風向調整羽根３０の状態が第３開状態の場合、室内機１０の正面視において、上下風向調整羽根３０の外側面３０ｂが視認可能である。
【００５０】
＜側方遮蔽部材の構成＞
図１３（ａ）は、上下風向調整羽根３０が閉状態であって側方遮蔽部材２０，９０が閉状態である室内機１０の正面図であって、左側方遮蔽部材９０近傍を示す図である。図１３（ｂ）は、上下風向調整羽根３０が閉状態であって側方遮蔽部材２０，９０が閉状態である室内機１０の斜視図であって、左側方遮蔽部材９０近傍を示す図である。図１４（ａ）は、上下風向調整羽根３０が第２開状態であって側方遮蔽部材２０，９０が閉状態である室内機１０の正面図であって、左側方遮蔽部材９０近傍を示す図である。図１４（ｂ）は、上下風向調整羽根３０が第２開状態であって側方遮蔽部材２０，９０が閉状態である室内機１０の斜視図であって、左側方遮蔽部材９０近傍を示す図である。図１５（ａ）は、上下風向調整羽根３０が第２開状態であって側方遮蔽部材２０，９０が開状態である室内機１０の正面図であって、左側方遮蔽部材９０近傍を示す図である。図１５（ｂ）は、上下風向調整羽根３０が第２開状態であって側方遮蔽部材２０，９０が開状態である室内機１０の斜視図であって、左側方遮蔽部材９０近傍を示す図である。
【００５１】
側方遮蔽部材２０，９０は、室内機１０の左右両側方下部に配置されている。具体的には、側方遮蔽部材２０，９０は、所定方向の断面が略Ｌ字状を呈する板状の部材であって、吹出口１５において室内機ケーシング１２の底面から側面にかけて形成されている開口部分を覆うことが可能である。また、側方遮蔽部材２０，９０は、吹出口１５において、上下風向調整羽根３０によって覆われる吹出口１５の第１部分１６以外の部分を覆うことが可能である。
【００５２】
また、側方遮蔽部材２０，９０は、側方遮蔽部材２０，９０と上下風向調整羽根３０とが吹出口１５を遮蔽している状態、言い換えると、室内機１０の風向状態が運転停止状態である場合には、室内機１０の底面視において、吹出口１５のうち室内機ケーシング１２の底面に形成されている開口部分を覆う側方遮蔽部材２０，９０の一部と上下風向調整羽根３０とが左右方向に概ね連続して配置されている。
【００５３】
なお、以下より、説明の便宜上、側方遮蔽部材２０，９０のうち、室内機１０の正面視において、室内機１０の右側下部に配置される側方遮蔽部材を右側方遮蔽部材２０といい、室内機１０の左側下部に配置される側方遮蔽部材を左側方遮蔽部材９０という。また、右側方遮蔽部材２０は、左側方遮蔽部材９０の構成を左右対称にした構成と同様であるため、ここでは、左側方遮蔽部材９０の構成のみを説明し、右側方遮蔽部材２０の構成については説明を省略する。
【００５４】
左側方遮蔽部材９０は、図１３、図１４および図１５に示すように、室内機１０の下部の角部に沿った湾曲した形状を有している。また、左側方遮蔽部材９０は、第１部９１と、第２部９２とを有する。第１部９１には、左側方遮蔽部材９０の第１端部９０ａが含まれる。また、第２部９２には、左側方遮蔽部材９０の第２端部９０ｂが含まれる。
【００５５】
また、側方遮蔽部材２０，９０は、２つの状態（閉状態および開状態）を採ることが可能である。なお、以下より、説明の便宜上、吹出口１５において側方遮蔽部材２０，９０が閉状態である場合に左側方遮蔽部材９０によって覆われる部分、言い換えると、吹出口１５において側方遮蔽部材２０，９０が閉状態である場合に左側方遮蔽部材９０の配置される空間を吹出口１５の第２部分１７ａといい、右側方遮蔽部材２０によって覆われる部分、言い換えると、吹出口１５において側方遮蔽部材２０，９０が閉状態である場合に右側方遮蔽部材２０の配置される空間を吹出口１５の第３部分１７ｂという。
【００５６】
側方遮蔽部材２０，９０の状態が閉状態である場合、側方遮蔽部材２０，９０が吹出口１５の第２部分１７ａおよび第３部分１７ｂを覆うように配置される（図１３参照）。具体的には、側方遮蔽部材２０，９０の状態が閉状態である場合には、右側方遮蔽部材２０が吹出口１５の第３部分１７ｂを覆うように配置され、左側方遮蔽部材９０が吹出口１５の第２部分１７ａを覆うように配置される。このため、上下風向調整羽根３０および側方遮蔽部材２０，９０が閉状態である場合には、吹出口１５が遮蔽される。
【００５７】
側方遮蔽部材２０，９０の状態が開状態である場合、側方遮蔽部材２０，９０が吹出口１５の第２部分１７ａおよび第３部分１７ｂを開放するように配置される（図１５参照）。具体的には、右側方遮蔽部材２０が吹出口１５の第３部分１７ｂを開放するように配置され、左側方遮蔽部材９０が吹出口１５の第２部分１７ａを開放するように配置される。
【００５８】
＜第１機構の構成＞
第１機構５０は、吹出口１５の第１部分１６が覆われている状態から吹出口１５第１部分１６が開放されている状態となるように、上下風向調整羽根３０を移動させるための機構である。また、第１機構５０は、吹出口１５において第１部分１６に相当する開口面に対する上下風向調整羽根３０の位置を移動させることで、上下風向調整羽根３０の状態を切り換えることができる。
【００５９】
また、第１機構５０は、迫り出し機構５１，６１と、角度調整機構７１とを有している。
【００６０】
迫り出し機構５１，６１は、上下風向調整羽根３０が吹出口１５近傍から迫り出されるように、上下風向調整羽根３０と迫り出し機構５１，６１とが連結されている部分である第１連結部３２を移動させることができる。具体的には、迫り出し機構５１，６１は、第１連結部３２が吹出口１５に近接または離反するように、第１連結部３２を移動させることができる。すなわち、迫り出し機構５１，６１は、第１連結部３２を吹出口１５から離れる方向に移動させることができる。
【００６１】
また、迫り出し機構５１，６１は、第１連結部３２を移動させることで、吹出口１５の第１部分１６に対する第１連結部３２の位置を移動させることができる。例えば、迫り出し機構５１，６１は、図９に示す位置に配置されている第１連結部３２を、図１０に示す位置に移動させることができる。また、例えば、迫り出し機構５１，６１は、図１０に示す位置に配置されている第１連結部３２を、図１１に示す位置に移動させることができる。すなわち、迫り出し機構５１，６１は、第１連結部３２を移動させることで、第１連結部３２を所定位置から前記所定位置とは異なる位置に移動させることができる。さらに、迫り出し機構５１，６１は、吹出口１５の第１部分１６に対する第１連結部３２の位置を吹出口１５から離れる方向に移動させることで、上下風向調整羽根３０を吹出口１５において第１部分１６に相当する開口面から前方にスライド移動させることができる。なお、迫り出し機構５１，６１は、後述する迫り出し機構駆動用モータ５４，６４の駆動力を上下風向調整羽根３０の第１連結部３２に伝達する増速機構として機能する。
【００６２】
また、迫り出し機構５１，６１は、図７および図８に示すように、第１迫り出し機構５１と、第２迫り出し機構６１とを有する。なお、本実施形態では、第１迫り出し機構５１と第２迫り出し機構６１との構成は同様であるため、ここでは、第１迫り出し機構５１の構成についてのみ説明を行い、第２迫り出し機構６１については、第１迫り出し機構５１の構成部品に付される５０番台の符号を６０番台に読み替えることによって、説明を省略する。
【００６３】
第１迫り出し機構５１は、図７および図８に示すように、ピニオン歯車５２と、移動部材５３と、迫り出し機構駆動用モータ５４とを有している。
【００６４】
ピニオン歯車５２は、迫り出し機構駆動用モータ５４の有する駆動軸５４ａに連結されており、迫り出し機構駆動用モータ５４が駆動することによって回転する。
【００６５】
移動部材５３は、ピニオン歯車５２と噛み合うラック５６と、支持軸５７とを有している。ラック５６は、移動部材５３の一端部５３ａ近傍から他端部５３ｂ近傍にかけて配置されている。支持軸５７は、棒状の部材であって、移動部材５３の端部５３ａ近傍の端面から外側に向かって突出している。さらに、支持軸５７は、上下風向調整羽根３０の軸支部３２ａを上下風向調整羽根３０の長手方向に対して平行に挿通しており、上下風向調整羽根３０を回動可能に支持している。
【００６６】
迫り出し機構駆動用モータ５４は、ステッピングモータであって、駆動軸５４ａを有している。駆動軸５４ａは、迫り出し機構駆動用モータ５４に連結されており、迫り出し機構駆動用モータ５４が駆動することによって回転する。このため、迫り出し機構駆動用モータ５４は、駆動軸５４ａを回転させることで、ピニオン歯車５２を回転させることができる。なお、本実施形態では、迫り出し機構駆動用モータ５４とピニオン歯車５２とは、互いに対向するように配置されている。また、迫り出し機構駆動用モータ５４は、後述する取り付け板８０に固定されている。
【００６７】
このような構成によって、迫り出し機構駆動用モータ５４，６４がピニオン歯車５２，６２を回転させると、ピニオン歯車５２，６２と噛み合うラック５６，６６に動力が伝達されて、ピニオン歯車５２，６２に対する移動部材５３，６３の位置が変化する。具体的には、図７および図８に示すように、移動部材５３，６３のうち上下風向調整羽根３０と連結されている端部を移動部材５３，６３の下端部５３ａ，６３ａとし、下端部５３ａ，６３ａとは反対側の端部を移動部材５３，６３の上端部５３ｂ，６３ｂとすると、迫り出し機構駆動用モータ５４，６４が駆動することで、移動部材５３，６３の上端部５３ｂ，６３ｂが、ピニオン歯車５２，６２近傍の位置に移動したり、ピニオン歯車５２，６２から離れた位置に移動したりする。このため、移動部材５３，６３の下端部５３ａ，６３ａに連結している上下風向調整羽根３０は、移動部材５３，６３の移動に伴って、吹出口１５における第１部分１６に相当する開口面に向かう方向すなわち吹出口１５の第１部分１６を遮蔽する方向、あるいは、吹出口１５における第１部分１６に相当する開口面から遠ざかる方向すなわち吹出口１５の第１部分１６を開放する方向に移動する。このように、迫り出し機構５１，６１は、吹出口１５の第１部分１６から第１連結部３２までの距離を調整することができる。
【００６８】
これによって、迫り出し機構５１，６１は、上下風向調整羽根３０が吹出口１５近傍から迫り出されるように、上下風向調整羽根３０をスライド移動、すなわち、迫り出し移動させることができる。なお、迫り出し機構駆動用モータ５４，６４の回転量および回転方向は、後述する制御部８４によって制御されている。
【００６９】
角度調整機構７１は、上下風向調整羽根３０の吹出口１５において第１部分１６に相当する開口面に対する傾斜角度が調整されるように、上下風向調整羽根３０と角度調整機構７１とが連結されている部分である第２連結部３３を、吹出口１５から離れる方向に移動させることができる。また、角度調整機構７１は、第１連結部３２に軸支されている支持軸５７，６７を回転中心、すなわち、回転軸として第２連結部３３を移動させることで、吹出口１５に対して所定位置に配置されている第２連結部３３を、前記所定位置とは別の位置に移動させることができる。
【００７０】
なお、上述の迫り出し機構５１，６１は、上下風向調整羽根３０の回転軸として機能する支持軸５７，６７を、上下風向調整羽根３０とともに移動させることができることになる。言い換えると、迫り出し機構５１，６１は、上下風向調整羽根３０の回転軸を移動させることができることになる。
【００７１】
また、角度調整機構７１は、後述する角度調整機構駆動用モータ７３の駆動力を上下風向調整羽根３０の第２連結部３３に伝達する減速機構として機能する。
【００７２】
角度調整機構７１は、角度調整機構駆動用モータ７３と、リンク機構７２とを備えている。
【００７３】
角度調整機構駆動用モータ７３は、駆動軸７３ａを有している。角度調整機構駆動用モータ７３は、ステッピングモータであって、駆動軸７３ａを介してリンク機構７２を駆動させる。
【００７４】
リンク機構７２は、揺動レバー７４と、アーム７５とを有している。揺動レバー７４は、その一端部が、角度調整機構駆動用モータ７３の駆動軸７３ａに連結されている。また、揺動レバー７４の他端部は、アーム７５の一端部と回動可能に連結されている。
【００７５】
また、アーム７５は、支持軸７８を含む。支持軸７８は、アーム７５において揺動レバー７４と連結している端部とは反対側の端部近傍の両端面から外側方向に向かって突出している。さらに、支持軸７８は、上下風向調整羽根３０の軸支部３３ａに係合しており、上下風向調整羽根３０を回動可能の支持している。
【００７６】
このため、リンク機構７２は、揺動レバー７４が図９に示す位置にある場合には、上下風向調整羽根３０が吹出口１５の第１部分１６を遮蔽している状態となる。また、揺動レバー７４が図１０または図１１に示す位置にある場合には、上下風向調整羽根３０の状態が、第１開状態、または、第２開状態となる。さらに、揺動レバー７４が図１２に示す位置にある場合には、上下風向調整羽根３０の状態が、第３開状態となる。このように、角度調整機構７１は、吹出口１５の第１部分１６から第２連結部３３までの距離を調整することができる。
【００７７】
なお、上述の迫り出し機構５１，６１は、上下風向調整羽根３０の状態を第１開状態から第２開状態に切り換える場合には、支持軸７８を回動中心、すなわち、回転軸として、第１連結部３２を移動させる。このため、上下風向調整羽根３０の状態が第１開状態から第２開状態に切り換わる場合には、角度調整機構７１によって吹出口１５の第１部分１６に対する支持軸７８の位置、すなわち、第２連結部３３の位置は移動されない。
【００７８】
このような構成によって、角度調整機構７１は、角度調整機構駆動用モータ７３が駆動することで、上下風向調整羽根３０の第２連結部３３を押し引きすることができる。なお、リンク機構７２の回転角度、すなわち、角度調整機構駆動用モータ７３の回転量および回転方向は、後述する制御部８４によって制御されている。
【００７９】
このように、上下風向調整羽根３０は、迫り出し機構５１，６１によって吹出口１５の第１部分１６から第１連結部３２までの距離が調整され、角度調整機構７１によって吹出口１５の第１部分１６から第２連結部３３までの距離が調整されることで、吹出口１５において第１部分１６に相当する開口面に対する傾斜角度が変更される。また、上下風向調整羽根３０が第１開状態から第２開状態に切り換わる場合には、迫り出し機構５１，６１は、第２連結部３３に軸支されている支持軸７８を回転軸として第１連結部３２を移動させる。さらに、上下風向調整羽根３０が第２開状態から第３開状態に切り換わる場合には、角度調整機構７１は、第１連結部３２に軸支されている支持軸５７，６７を回転軸として第２連結部３３を移動させる。このため、上下風向調整羽根３０の前側端部３０ｆ近傍の第１連結部３２および後側端部３０ｅ近傍の第２連結部３３のいずれか一方に軸支されている支持軸を回転軸とし、回転軸として機能していない方の支持軸を軸支している連結部を可動させることで、吹出口１５の第１部分１６に対する上下風向調整羽根３０の傾斜角度が変更されている。
【００８０】
また、第１機構５０は、取り付け板８０を有している。取り付け板８０は、吹出口１５において第１部分１６に相当する開口面よりも上方に配置されている。また、取り付け板８０の上面には、迫り出し機構５１，６１の駆動源である２つの迫り出し機構駆動用モータ５４，６４、および、角度調整機構７１の駆動源である角度調整機構駆動用モータ７３が固定されている。具体的には、迫り出し機構駆動用モータ５４，６４は、取り付け板８０の両端部近傍にそれぞれ固定されている。また、角度調整機構駆動用モータ７３は、取り付け板８０の略中央部に固定されている。このようにして、迫り出し機構駆動用モータ５４，６４および角度調整機構駆動用モータ７３は、取り付け板８０とともに、室内機ケーシング１２の内部に収納されている。
【００８１】
また、取り付け板８０には、迫り出し機構駆動用モータ５４，６４の近傍に、それぞれの移動部材５３，６３が挿通可能な移動部材挿通開口８１ａ，８１ｂが形成されている。なお、移動部材挿通開口８１ａ，８１ｂは、移動部材５３，６３のラック５６，６６以外の部分を支持することができるように、その一部が狭くなるように形成されている。さらに、取り付け板８０には、図７および図８に示すように、各移動部材５３，６３を案内するための案内溝８２ａ，８２ｂが設けられている。
【００８２】
また、取り付け板８０には、角度調整機構駆動用モータ７３近傍に、揺動レバー７４が挿通可能なレバー挿通開口８３が形成されている。
【００８３】
なお、本実施形態では、迫り出し機構５１，６１は増速機構であり、角度調整機構７１は減速機構であるため、２つの迫り出し機構駆動用モータ５４，６４と角度調整機構駆動用モータ７３との必要駆動トルクおよび非通電静止トルクの調整を図ることができる。したがって、例えば、上下風向調整羽根３０の位置を手動で動かされた場合でも、迫り出し機構駆動用モータ５４，６４および角度調整機構駆動用モータ７３に作用するトルクを近づけることができるため、同一のステッピングモータを採用することができている。
【００８４】
＜第２機構の構成＞
図１６（ａ）は、上下風向調整羽根３０が第２開状態であって側方遮蔽部材２０，９０が閉状態である室内機１０の断面図であって、左側方遮蔽部材９０近傍の概略図である。図１６（ｂ）は、上下風向調整羽根３０が第２開状態であって側方遮蔽部材２０，９０が開状態である室内機１０の断面図であって、左側方遮蔽部材９０近傍の概略図である。
【００８５】
第２機構２９，９９は、第１機構５０とは別の移動機構であって、吹出口１５の第２部分１７ａおよび第３部分１７ｂが遮蔽されている状態から吹出口１５の第２部分１７ａおよび第３部分１７ｂが開放されている状態となるように、側方遮蔽部材２０，９０を移動させることが可能な機構である。言い換えると、第２機構２９，９９は、側方遮蔽部材２０，９０の状態を切り換えるために、側方遮蔽部材２０，９０を移動させるための機構である。
【００８６】
第２機構２９，９９は、第２機構駆動用モータ２４，９４（図１７参照）と、支持部材（９３；図１６参照）とを備えている。また、第２機構２９，９９は、右側方遮蔽部材２０の状態を切り換えるための右側方遮蔽部材移動機構２９と、左側方遮蔽部材９０の状態を切り換えるための左側方遮蔽部材移動機構９９とを有する。また、右側方遮蔽部材移動機構２９は、左側方遮蔽部材移動機構９９の構成を左右対称にした構成と同様であるため、ここでは、左側方遮蔽部材移動機構９９の構成のみを説明し、右側方遮蔽部材移動機構２９の構成については説明を省略する。
【００８７】
第２機構駆動用モータ９４は、室内機本体１１内に配置されており、室内機ケーシング１２に固定されている。また、第２機構駆動用モータ９４は、回転軸（図示せず）を有している。回転軸は、室内機１０の前後方向に延びており、第２機構駆動用モータ９４が駆動することによって回転する。
【００８８】
支持部材９３は、図１６に示すように、板状の部材であって、その一端部９３ａが左側方遮蔽部材９０の第１端部９０ａ近傍に連結している。また、支持部材９３の他端部９３ｂは回転軸に連結されており、支持部材９３は回転軸が回転することで回転軸を中心に回転方向に移動する。
【００８９】
このような構成によって、第２機構２９，９９は、第２機構駆動用モータ２４，９４が駆動することで回転軸が回転し、回転軸が回転することで支持部材が回転方向に移動する。また、支持部材が回転方向に移動することで、側方遮蔽部材２０，９０が回転軸を中心に回転方向に移動する。このため、側方遮蔽部材２０，９０は、円弧を描くように移動することで、吹出口１５の第２部分１７ａおよび第３部分１７ｂを遮蔽したり開放したりすることができる。なお、第２機構駆動用モータ２４，９４の駆動は、後述する制御部８４によって制御されている。
【００９０】
また、第２機構２９，９９は、開状態である側方遮蔽部材２０，９０を収納するための収納部２５，９５を備えている。収納部２５は、吹き出し流路において吹出口１５の第３部分１７ｂ近傍に配置されている。また、収納部９５は、吹き出し流路において吹出口１５の第２部分１７ａ近傍に配置されている。このため、吹き出し流路は、その下部において、収納部２５，９５によって３つの流路に分けられる。ここで、説明の便宜上、吹き出し流路において、その入口が２つの収納部２５，９５の上端部によって規定されており、その出口が吹出口１５の第１部分１６である流路部分を主吹き出し流路Ｂという。また、吹き出し流路において、収納部２５の上端部がその入口に位置しており、その出口が吹出口１５の第３部分１７ｂである流路部分を右側吹き出し流路Ｄという。また、吹き出し流路において、収納部９５の上端部がその入口に位置しており、その出口が吹出口１５の第２部分１７ａである流路部分を左側吹き出し流路Ｃという。すなわち、収納部２５は、主吹き出し流路Ｂと右側吹き出し流路Ｄとの間に配置されており、収納部９５は、主吹き出し流路Ｂと左側吹き出し流路Ｃとの間に配置されている。また、吹き出し流路の出口は、それぞれ、上下風向調整羽根３０、左側方遮蔽部材９０、および、右側方遮蔽部材２０によって塞がれる。具体的には、上下風向調整羽根３０によって主吹き出し流路Ｂの出口が塞がれ、左側方遮蔽部材９０によって左側吹き出し流路Ｃの出口が塞がれ、右側方遮蔽部材２０によって右側吹き出し流路Ｄの出口が塞がれる。
【００９１】
また、収納部２５，９５は、開状態である側方遮蔽部材２０，９０が収納される収納空間を形成する第１壁部２６，９６と第２壁部２７，９７とを有している。第１壁部２６，９６は、吹出口１５の第２部分１７ａ近傍または第３部分１７ｂ近傍から上方に延びている。また、第１壁部２６，９６は、側方遮蔽部材２０，９０に対応可能なように湾曲した形状を呈しており、第１壁部２６，９６の上端部（９６ａ；図１６参照）が第１壁部２６，９６の下端部（９６ｂ；図１６参照）よりも室内機本体１１の中央側に近くなるように傾斜して配置されている。
【００９２】
また、第２壁部２７，９７は、吹出口１５の第１部分１６と吹出口１５の第２部分１７ａとの境界近傍、または、吹出口１５の第１部分１６と吹出口１５の第３部分１７ｂとの境界近傍から上方に延びている。また、第２壁部２７，９７は、側方遮蔽部材２０，９０に対応可能なように湾曲した形状を呈しており、第２壁部２７，９７の上端部（９７ａ；図１６参照）が第２壁部２７，９７の下端部（９７ｂ；図１６参照）よりも室内機本体１１の中央側に近くなるように傾斜して配置されている。さらに、収納部２５，９５の上端部、すなわち、第２壁部２７，９７の上端部（９７ａ；図１６参照）と第１壁部２６，９６の上端部（９６ａ；図１６参照）とは、連続した構成となっている。
【００９３】
なお、垂直羽根１９は、吹き出し流路において、収納部２５，９５の上端部よりも室内ファン１４近傍に配置されている。また、収納部２５，９５は、側方垂直羽根部１９ｄ，１９ｅの有する羽根が揺動して傾斜した状態を採ったときに側方垂直羽根部１９ｄ，１９ｅの有する羽根の各先端部が収納部２５，９５の上端部近傍に位置するように配置されている（図４参照）。このため、垂直羽根１９が図４に示すような状態で、室内ファン１４によって空気流が生成された場合には、調和空気が左側吹き出し流路Ｃおよび右側吹き出し流路Ｄに導かれる。
【００９４】
また、側方遮蔽部材２０，９０が開状態である場合、側方遮蔽部材２０，９０は、収納空間に収納されているため、吹出口１５の第２部分１７ａおよび吹出口１５の第３部分１７ｂから吹き出される空気流れに対して影響を与えない。したがって、垂直羽根１９によって左側吹き出し流路Ｃおよび右側吹き出し流路Ｄの各入口に導かれた調和空気は、左側方または右側方に向かって傾斜している第１壁部２６，９６の案内面（９６ｃ；図１６参照）に沿って、言い換えると、第１壁部２６，９６の案内面に規制されて、左側吹き出し流路Ｃおよび右側吹き出し流路Ｄを流れて、左側吹き出し流路Ｃおよび右側吹き出し流路Ｄの各出口から吹き出される。また、左側吹き出し流路Ｃおよび右側吹き出し流路Ｄの出口は、室内機１０の側方に向かってに開口しているため、左側吹き出し流路Ｃおよび右側吹き出し流路Ｄの出口から吹き出される空気は室内機１０の左右両側方側に向けて流れることになる。
【００９５】
なお、図１６（ｂ）では、左側方垂直羽根部１９ｄの有する羽根の先端部が左側吹出口流路Ｃの入口近傍に位置するように描かれていないが、実際には、左側方遮蔽部材９０の状態が開状態となった場合には、左側方垂直羽根部１９ｄの有する羽根の先端部が左側吹出口流路Ｃの入口近傍に位置する。
【００９６】
また、本実施形態では、側方垂直羽根部１９ｄ，１９ｅの有する羽根は、側方遮蔽部材２０，９０の状態が開状態である場合にのみ、その先端部が左側吹き出し流路Ｃまたは右側吹き出し流路Ｄの入口近傍に配置され、側方遮蔽部材２０，９０の状態が閉状態である場合には、その先端部が左側吹き出し流路Ｃまたは右側吹き出し流路Ｄの入口近傍から離れた位置に配置されるものとする。このため、本実施形態では、各側方遮蔽部材２０，９０が閉状態である場合に、側方垂直羽根部１９ｄ，１９ｅによって、調和空気が左側吹き出し流路Ｃまたは右側吹き出し流路Ｄに導かれたり、左側吹き出し流路Ｃまたは右側吹き出し流路Ｄの各入口が覆われたりしない構成となっている。
【００９７】
＜制御部＞
図１７は、空気調和機１の備える制御部８４の制御ブロック図である。
【００９８】
制御部８４は、図１７に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００９９】
また、リモートコントローラ８６には、運転停止ボタンや風向設定ボタン８６ａ等の複数のスイッチが設けられている。運転停止ボタンは、空調対象者によって空気調和機１の運転が停止されるときに操作されるスイッチである。また、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は空調対象者からの風向設定指令を制御信号として受信する。なお、本実施形態における風向設定指令には、調和空気が室内機１０の側方に吹き出すように空気の吹き出し方向を設定するための指令である第１指令と、調和空気が主に室内機１０の前側上方および側方に吹き出すように空気の吹き出し方向を設定するための指令である第２指令とが含まれる。
【０１００】
また、制御部８４は、上下風向調整羽根３０および側方遮蔽部材２０，９０の状態を切り換えるための駆動制御部８５を有する。駆動制御部８５は、迫り出し機構５１，６１および角度調整機構７１を任意のタイミングで駆動させることができる。具体的には、駆動制御部８５は、２つの迫り出し機構駆動用モータ５４，６４および角度調整機構駆動用モータ７３の回転数と回転方向とを制御することで、上下風向調整羽根３０の状態を切り換える。さらに、駆動制御部８５は、２つの第２機構駆動用モータ２４，９４の回転数と回転方向とを制御することで、側方遮蔽部材２０，９０の状態を切り換える。また、駆動制御部８５は、２つの迫り出し機構駆動用モータ５４，６４のみを制御することで迫り出し機構５１，６１のみを駆動させる迫り出し機構駆動モード（第１駆動モードに相当）と、角度調整機構駆動用モータ７３のみを制御することで角度調整機構７１のみを駆動させる角度調整機構駆動モード（第２駆動モードに相当）と、２つの迫り出し機構駆動用モータ５４，６４および角度調整機構駆動用モータ７３を同時に制御することで迫り出し機構５１，６１および角度調整機構７１を同時に駆動させる同時駆動モードとを実行可能である。このため、制御部８４は、各運転モードあるいは空調対象者からの風向設定指令に応じて、室内機１０の風向状態を変更することができる。また、本実施形態では、室内機１０は、運転停止状態、第１冷房状態、第２冷房状態、第１暖房状態、第２暖房状態、および、三方風向状態の６つの風向状態を採ることが可能である。
【０１０１】
なお、室内機１０の風向状態が運転停止状態である場合、上下風向調整羽根３０および側方遮蔽部材２０，９０は、いずれも閉状態を採っている。また、室内機１０の風向状態が第１冷房状態である場合、上下風向調整羽根３０は第２開状態を採っており、側方遮蔽部材２０，９０は閉状態を採っている。室内機１０の風向状態が第２冷房状態である場合、上下風向調整羽根３０は第２開状態を採っており、側方遮蔽部材２０，９０は開状態を採っている。室内機１０の風向状態が第１暖房状態である場合、上下風向調整羽根３０は第３開状態を採っており、側方遮蔽部材２０，９０は閉状態を採っている。室内機１０の風向状態が第２暖房状態である場合、上下風向調整羽根３０は第３開状態を採っており、側方遮蔽部材２０，９０は開状態を採っている。室内機１０の風向状態が三方風向状態である場合、上下風向調整羽根３０は第１開状態を採っており、側方遮蔽部材２０，９０は開状態を採っている。
【０１０２】
例えば、空気調和機１の運転が停止している状態、すなわち、室内機１０の風向状態が運転停止状態である場合に、空調対象者からリモートコントローラ８６を介して冷房運転の開始指令が為されると、駆動制御部８５は、室内機１０の風向状態が第１冷房風向状態となるように、第１機構５０を制御する。具体的には、駆動制御部８５は、同時駆動モードを実行する。より具体的には、駆動制御部８５は、迫り出し機構駆動用モータ５４，６４および角度調整機構駆動用モータ７３を同時に制御することで、上下風向調整羽根３０の状態を閉状態から第１開状態に切り換える。そして、上下風向調整羽根３０の状態が第１開状態に切り換わると、更に、駆動制御部８５は、迫り出し機構駆動モードを実行する。具体的には、駆動制御部８５は、迫り出し機構駆動用モータ５４，６４を制御することで、上下風向調整羽根３０の状態を第１開状態から第２開状態に切り換える。なお、このとき、駆動制御部８５は第２機構駆動用モータ２４，９４を駆動させる制御を行わないため、側方遮蔽部材２０，９０は吹出口１５の第２部分１７ａおよび第３部分１７ｂを覆うように配置されており、吹出口１５の第２部分１７ａおよび第３部分１７ｂが遮蔽された状態が維持される。このため、吹出口１５の第１部分１６のみが開放される。
【０１０３】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【０１０４】
このため、空気調和機１の運転が停止している状態で、空調対象者からリモートコントローラ８６を介して冷房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の前側下方に吹き出される（図１４参照）。
【０１０５】
これによって、吹出口１５から吹き出される空気の吹き出し方向が室内機１０の前側下方となるため、室内機１０の設置されている室内空間を室内機１０の前側の空間である第１空間と第１空間よりも後側の空間である第２空間とに分けた場合、調和空気が、室内空間のうち、主に、第１空間の下部に吹き出されることになる。
【０１０６】
また、空気調和機１において室内機１０の風向状態が第１冷房状態である冷房運転が実行されているときに、リモートコントローラ８６を介して空調対象者から風向設定指令のうちの第１指令が為されると、駆動制御部８５は、室内機１０の風向状態が第１冷房状態から第２冷房風向状態となるように、第２機構２９，９９を制御する。具体的には、駆動制御部８５は、側方遮蔽部材２０，９０の状態が閉状態から開状態に切り換わるように、第２機構駆動用モータ２４，９４を制御する。なお、このとき、上下風向調整羽根３０の状態は、第２開状態が維持される。このため、吹出口１５の第１部分１６、第２部分１７ａおよび第３部分１７ｂが開放される。
【０１０７】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る（図１５参照）。
【０１０８】
そして、吹出口１５の第１部分１６に至った調和空気は、傾斜している上下風向調整羽根３０の内側面３０ａに沿って室内機１０の前側下方に向かって吹き出される。
【０１０９】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１１０】
したがって、空気調和機１において冷房運転が実行されているときに、リモートコントローラ８６を介して空調対象者から風向設定指令のうちの第１指令が為されると、吹出口１５から吹き出される空気の吹き出し方向が、室内機１０の前側下方および左右両側方に変更される。
【０１１１】
これによって、吹出口１５から吹き出される空気の吹き出し方向が室内機１０の前側下方および左右両側方となるため、第２空間のうち室内機１０の両側方の空間を特に側方部とした場合、調和空気が、室内空間のうち、主に、第１空間の下部および第２空間の側方部に吹き出されることになる。
【０１１２】
また、空気調和機１において室内機１０の風向状態が第１冷房状態である冷房運転が実行されているときに、リモートコントローラ８６を介して空調対象者から風向設定指令のうちの第２指令が為されると、駆動制御部８５は、室内機１０の風向状態が第１冷房状態から三方風向状態となるように、第１機構５０および第２機構２９，９９を制御する。具体的には、駆動制御部８５は、迫り出し機構駆動モードを実行する。より具体的には、駆動制御部８５は、迫り出し機構駆動用モータ５４，６４を制御することで、上下風向調整羽根３０の状態を第２開状態から第１開状態に切り換える。また、このとき、駆動制御部８５は、第２機構駆動用モータ２４，９４を制御することで、側方遮蔽部材２０，９０の状態を閉状態から開状態に切り換える。このため、吹出口１５の第１部分１６、第２部分１７ａおよび第３部分１７ｂが開放される。
【０１１３】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１１４】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１１５】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１１６】
したがって、空気調和機１において冷房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１１７】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１１８】
また、例えば、空気調和機１の運転が停止している状態で、空調対象者からリモートコントローラ８６を介して暖房運転の開始指令が為されると、駆動制御部８５は、室内機１０の風向状態が第１暖房風向状態となるように、第１機構５０を制御する。具体的には、駆動制御部８５は、同時駆動モードを実行する。より具体的には、駆動制御部８５は、迫り出し機構駆動用モータ５４，６４および角度調整機構駆動用モータ７３を同時に制御することで、上下風向調整羽根３０の状態を閉状態から第１開状態に切り換える。次に、上下風向調整羽根３０の状態が第１開状態に切り換わると、駆動制御部８５は、迫り出し機構駆動モードを実行する。具体的には、駆動制御部８５は、迫り出し機構駆動用モータ５４，６４を更に制御することで、上下風向調整羽根３０の状態を第１開状態から第２開状態に切り換える。そして、上下風向調整羽根３０の状態が第２開状態に切り換わると、駆動制御部８５は、角度調整機構駆動モードを実行する。具体的には、駆動制御部８５は角度調整機構駆動用モータ７３を更に制御することで、上下風向調整羽根３０の状態を第２開状態から第３開状態に切り換える。なお、このとき、駆動制御部８５は第２機構駆動用モータ２４，９４を駆動させる制御を行わないため、側方遮蔽部材２０，９０は吹出口１５の第２部分１７ａおよび第３部分１７ｂを覆うように配置されており、吹出口１５の第２部分１７ａおよび第３部分１７ｂが遮蔽された状態が維持される。このため、吹出口１５の第１部分１６のみが開放される。
【０１１９】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【０１２０】
このため、空気調和機１の運転が停止している状態で、空調対象者からリモートコントローラ８６を介して暖房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の下方に吹き出される。
【０１２１】
これによって、吹出口１５から吹き出される空気の吹き出し方向が室内機１０の下方となるため、第２空間のうち室内機１０の下方の空間を特に下部とした場合、調和空気が、室内空間のうち、主に、第２空間の下部に吹き出されることになる。
【０１２２】
また、空気調和機１において室内機１０の風向状態が第１暖房状態である場合の暖房運転が実行されているときに、リモートコントローラ８６を介して空調対象者から風向設定指令のうちの第１指令が為されると、駆動制御部８５は、室内機１０の風向状態が第１暖房状態から第２暖房風向状態となるように、第２機構２９，９９を制御する。具体的には、駆動制御部８５は、側方遮蔽部材２０，９０の状態が閉状態から開状態に切り換わるように第２機構駆動用モータ２４，９４を制御する。なお、このとき、上下風向調整羽根３０の状態は、第３開状態が維持される。このため、吹出口１５の第１部分１６、第２部分１７ａおよび第３部分１７ｂが開放される。
【０１２３】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１２４】
そして、吹出口１５の第１部分１６に至った調和空気は、傾斜している上下風向調整羽根３０の内側面３０ａに沿って室内機１０の下方に向かって吹き出される。
【０１２５】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１２６】
したがって、空気調和機１において暖房運転が実行されているときに、リモートコントローラ８６を介して空調対象者から風向設定指令のうちの第１指令が為されると、吹出口１５から吹き出される空気の吹き出し方向が、室内機１０の下方および左右両側方に変更される。
【０１２７】
これによって、吹出口１５から吹き出される空気の吹き出し方向が室内機１０の下方および左右両側方となるため、調和空気が、室内空間のうち、主に、第２空間の下部および側方部とに吹き出されることになる。
【０１２８】
また、空気調和機１において室内機１０の風向状態が第１暖房状態である場合の暖房運転が実行されているときに、リモートコントローラ８６を介して空調対象者から風向設定指令のうちの第２指令が為されると、駆動制御部８５は、室内機１０の風向状態が第１暖房状態から三方風向状態となるように、第１機構５０および第２機構２９，９９を制御する。具体的には、駆動制御部８５は、まず、角度調整機構駆動モードを実行する。より具体的には、駆動制御部８５は、角度調整機構駆動用モータ７３を制御することで、上下風向調整羽根３０の状態を第３開状態から第２開状態に切り換える。次に、駆動制御部８５は、迫り出し機構駆動モードを実行する。具体的には、迫り出し機構駆動用モータ５４，６４を制御することで、上下風向調整羽根３０の状態を第２開状態から第１開状態に切り換える。このようにして、駆動制御部８５は、上下風向調整羽根３０の状態を第３開状態から第１開状態に切り換える。なお、このとき、駆動制御部８５は、第２機構駆動用モータ２４，９４を制御することで、側方遮蔽部材２０，９０の状態を閉状態から開状態に切り換える。このため、吹出口１５の第１部分１６、第２部分１７ａおよび第３部分１７ｂが開放される。
【０１２９】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１３０】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１３１】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１３２】
したがって、空気調和機１において暖房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１３３】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１３４】
また、空気調和機１において暖房運転または冷房運転が実行されている状態で、空調対象者からリモートコントローラ８６を介して運転停止指令が為されると、駆動制御部８５は、室内機１０の風向状態が運転停止状態となるように、第１機構５０および／または第２機構２９，９９を制御する。具体的には、駆動制御部８５は、上下風向調整羽根３０の状態が第１開状態である場合には、同時駆動モードを実行する。より具体的には、駆動制御部８５は、迫り出し機構駆動用モータ５４，６４および角度調整機構駆動用モータ７３を同時に駆動することで、上下風向調整羽根３０の状態を第１開状態から閉状態に切り換える。また、駆動制御部８５は、上下風向調整羽根３０の状態が第２開状態である場合には、迫り出し機構駆動モードを実行した後、同時駆動モードを実行する。より具体的には、駆動制御部８５は、迫り出し機構駆動用モータ５４，６４を駆動することで上下風向調整羽根３０の状態を第２開状態から第１開状態に切り換えた後、迫り出し機構駆動用モータ５４，６４および角度調整機構駆動用モータ７３を同時に駆動することで上下風向調整羽根３０の状態を第１開状態から閉状態に切り換える。さらに、駆動制御部８５は、上下風向調整羽根３０の状態が第３開状態である場合には、角度調整機構駆動モードを実行した後、迫り出し機構駆動モードを実行し、さらに、同時駆動モードを実行する。より具体的には、駆動制御部８５は、まず、角度調整機構駆動用モータ７３を駆動することで上下風向調整羽根３０の状態を第３開状態から第２開状態に切り換えた後に、迫り出し機構駆動用モータ５４，６４を駆動することで上下風向調整羽根３０の状態を第２開状態から第１開状態に切り換え、更に、迫り出し機構駆動用モータ５４，６４および角度調整機構駆動用モータ７３を同時に駆動することで、上下風向調整羽根３０の状態を第１開状態から閉状態に切り換える。このようにして、駆動制御部８５は、迫り出し機構駆動用モータ５４，６４および角度調整機構駆動用モータ７３を駆動することで、上下風向調整羽根３０の状態を第１開状態、第２開状態または第３開状態から閉状態に切り換える。
【０１３５】
また、空調対象者からリモートコントローラ８６を介して運転停止指令が為されたときに、側方遮蔽部材２０，９０が開状態である場合には、駆動制御部８５は、側方遮蔽部材２０，９０の状態が開状態から閉状態に切り換わるように、第２機構駆動用モータ２４，９４を制御する。このため、吹出口１５の第１部分１６に上下風向調整羽根３０が配置され、吹出口１５の第２部分１７ａおよび第３部分１７ｂに側方遮蔽部材２０，９０が配置される状態、すなわち、吹出口１５が遮蔽された状態となる。
【０１３６】
このように、本実施形態では、上下風向調整羽根３０と、上下風向調整羽根３０とは独立して移動可能な側方遮蔽部材２０，９０とによって、種々の吹き出し方向を採ることができる。なお、本実施形態では、室内機１０が採ることが可能な風向状態を、運転停止状態、第１冷房状態、第２冷房状態、第１暖房状態、第２暖房状態、および、三方風向状態としているが、これに限定されず、上下風向調整羽根３０の状態および側方遮蔽部材２０，９０の状態の組み合わせによって室内機１０が他の風向状態を採ってもよい。
【０１３７】
＜特徴＞
（１）
上記実施形態では、上下風向調整羽根３０は、迫り出し機構５１，６１によって吹出口１５の第１部分１６から第１連結部３２までの距離が調整され、角度調整機構７１によって吹出口１５の第１部分１６から第２連結部３３までの距離が調整されることで、吹出口１５において第１部分１６に相当する開口面に対する傾斜角度が変更されている。このため、連結部３２，３３を移動させることによって室内機ケーシング１２内部の部材と干渉しない位置まで上下風向調整羽根３０を移動させた後に、吹出口１５において第１部分１６に相当する開口面に対する上下風向調整羽根３０の傾斜角度を変更することができる。
【０１３８】
これによって、上下風向調整羽根３０と室内機ケーシング１２内部の部材とが干渉するおそれを減らすことができている。
【０１３９】
（２）
上記実施形態では、迫り出し機構５１，６１によって、吹出口１５の第１部分１６に対する第１連結部３２の位置が移動されている。すなわち、迫り出し機構５１，６１は、第１連結部３２を、所定位置から前記所定位置とは別の所定位置まで移動させることができる。このため、所定位置に配置されている第１連結部３２を、所定位置とは異なる位置に移動させることができている。
【０１４０】
（３）
上記実施形態では、迫り出し機構５１，６１は、上下風向調整羽根３０が吹出口１５近傍から迫り出されるように、第１連結部３２をスライド移動させている。このため、上下風向調整羽根３０が吹出口１５近傍から迫り出されるように上下風向調整羽根３０を移動させることができている。
【０１４１】
（４）
上記実施形態では、角度調整機構７１は、第１連結部３２に軸支されている支持軸５７，６７を中心に第２連結部３３を移動させることで、吹出口１５の第１部分１６に対して所定位置に配置されている第２連結部３３を、前記所定位置とは別の位置に移動させることができる。このため、第２連結部３３を所定位置から前記所定位置とは異なる位置まで移動させることができている。
【０１４２】
（５）
上記実施形態では、角度調整機構７１は、上下風向調整羽根３０の第２連結部３３を押し引きすることで、第２連結部３３を移動させている。このため、第２連結部３３を移動させることができている。
【０１４３】
（６）
上記実施形態では、軸支部３２ａ，３３ａによって、支持軸５７，６７，７８が支持されている。このため、上下風向調整羽根３０の状態が第２開状態から第３開状態に切り換わるときに回転軸として機能する支持軸５７，６７を上下風向調整羽根３０と共に吹出口１５の第１部分１６から離れた位置に移動させることができている。
【０１４４】
（７）
上記実施形態では、迫り出し機構駆動用モータ５４，６４および角度調整機構駆動用モータ７３は、取り付け板８０とともに室内機ケーシング１２の内部に収納されている。このため、吹出口１５が開放されても、迫り出し機構駆動用モータ５４，６４および角度調整機構駆動用モータ７３が目立つおそれを減らすことができている。
【０１４５】
（８）
上記実施形態では、第１連結部３２は、上下風向調整羽根３０において互いに離れた２箇所に配置されている。また、迫り出し機構５１，６１は、上下風向調整羽根３０の２箇所の第１連結部３２とそれぞれ連結している。このため、例えば、迫り出し機構との連結部が上下風向調整羽根に１箇所だけ設けられている場合と比較して、上下風向調整羽根を安定して移動させることができる。
【０１４６】
（９）
上記実施形態では、第１連結部３２は、上下風向調整羽根３０の両端部３０ｇ，３０ｈ近傍に配置されている。このため、上下風向調整羽根３０の両端部３０ｇ，３０ｈにおいて、上下風向調整羽根３０の回転軸として機能する支持軸５７，６７を支持することができている。
【０１４７】
（１０）
上記実施形態では、駆動制御部８５は、迫り出し機構５１，６１および角度調整機構７１を任意のタイミングで駆動させる。また、駆動制御部８５は、迫り出し機構５１，６１のみを駆動させる迫り出し機構駆動モードと、角度調整機構７１のみを駆動させる角度調整機構駆動モードとを実行可能である。このため、迫り出し機構５１，６１および角度調整機構７１の少なくともいずれか一方の機構を駆動させることができている。
【０１４８】
（１１）
上記実施形態では、第１迫り出し機構５１は、迫り出し機構駆動用モータ５４を有しており、第２迫り出し機構６１は、迫り出し機構駆動用モータ６４を有している。すなわち、各迫り出し機構５１，６１は、それぞれ独立した迫り出し機構駆動用モータ５４，６４を有している。したがって、各迫り出し機構５１，６１が有するピニオン歯車５２，６２車同士を結ぶ連結棒や軸受等のスペースを設ける必要がなく、かつ、低トルクでサイズの小さいステッピングモータを採用することができている。
【０１４９】
（１２）
上記実施形態では、上下風向調整羽根３０が２つの第１連結部３２と第２連結部３３の３点て支持されている。また、２つの第１連結部３２は上下風向調整羽根３０の両端部３０ｇ，３０ｈ近傍に配置されており、第２連結部３３は上下風向調整羽根３０の略中央付近に配置されている。このため、例えば、２つの第１連結部および第２連結部が上下風向調整羽根の略中央付近に配置される場合と比較して、上下風向調整羽根３０を支持する３点を含む面の面積を大きくすることができている。したがって、上下風向調整羽根３０の姿勢を安定して維持することができている。
【０１５０】
＜変形例＞
（Ａ）
上記実施形態では、第１迫り出し機構５１は迫り出し機構駆動用モータ５４を有しており、第２迫り出し機構６１は迫り出し機構駆動用モータ６４を有している。また、２つの迫り出し機構５１，６１は、各迫り出し機構駆動用モータ５４，６４が駆動されることによって、上下風向調整羽根３０を移動させている。言い換えると、１つのモータによって、１つの迫り出し機構が駆動される構成となっている。
【０１５１】
これに代えて、１つのモータによって、２つの迫り出し機構が駆動されてもよい。
【０１５２】
例えば、２つの迫り出し機構のうちのいずれか一方のみが迫り出し機構駆動用モータを備えており、各迫り出し機構の備えるピニオン歯車同士が連結棒によって連結されている場合には、迫り出し機構駆動用モータの回転が、迫り出し機構駆動用モータの駆動軸に連結されているピニオン歯車だけでなく、連結棒によって他方のピニオン歯車にも伝達される。また、各ピニオン歯車が回転されることで各移動部材が移動され、各移動部材の移動に伴って上下風向調整羽根の位置を移動させることができる。
【０１５３】
このように、２つの迫り出し機構を１つの迫り出し機構駆動用モータで駆動することで、モータの数を減らすことができる。
【０１５４】
これによって、部品点数を削減することができるため、低コストを実現することができる。また、ピニオン歯車同士が連結棒によって連結されているため、一方のピニオン歯車の回転に同期して他方のピニオン歯車を回転させることができる。したがって、上下風向調整羽根の位置を手動で動かされた場合でも、各移動部材が平行して移動しやすくすることができる。
【０１５５】
（Ｂ）
上記実施形態では、本発明の第１機構５０が、室内の壁面に取り付けられる壁掛型の室内機１０に採用されている。これに代えて、第１機構が、天井に埋め込まれるように室内機が配置される天井埋込型の室内機に採用されてもよい。
【０１５６】
（Ｃ）
上記実施形態では、室内機１０が１つの角度調整機構７１と２つの迫り出し機構５１，６１とを備えている。
【０１５７】
これに代えて、室内機が１つの角度調整機構と１つの迫り出し機構とを備えていてもよく、１つの角度調整機構と３つ以上の迫り出し機構とを備えていてもよい。
【０１５８】
例えば、１つの角度調整機構と１つの迫り出し機構とを備える室内機の場合には、角度調整機構と上下風向調整羽根とを連結するための連結部および迫り出し機構と上下風向調整羽根とを連結するための連結部を上下風向調整羽根の長手方向に長い形状に設け、それぞれの連結部が上下風向調整羽根の前側端部近傍および後側端部近傍に平行に配置されてもよい。このような連結部の構成にすることによって、１つの角度調整機構および１つの迫り出し機構であっても、吹出口に対する上下風向調整羽根の傾斜角度を変更することができる。
【０１５９】
また、例えば、１つの角度調整機構と３つの迫り出し機構とを備える室内機の場合には、各迫り出し機構との各連結部が、上下風向調整羽根の両端部近傍と、上下風向調整羽根の略中央付近、すなわち、角度調整機構との連結部近傍とに配置されてもよい。このため、各迫り出し機構は、上下風向調整羽根の両端部近傍および角度調整機構近傍に配置される。このように、迫り出し機構が複数ある場合には、２つの迫り出し機構によって上下風向調整羽根が迫り出し移動される場合と比較して、上下風向調整羽根を安定して移動させることができる。
【０１６０】
また、上記実施形態では、室内機１０が１つの角度調整機構７１を備えている。
【０１６１】
これに代えて、室内機が複数の角度調整機構を備えていてもよい。室内機が複数の角度調整機構を備えている場合には、１つの角度調整機構によって上下風向調整羽根の吹出口に対する傾斜角度が変更される場合と比較して、上下風向調整羽根を安定して移動させることができる。
【０１６２】
（Ｄ）
上記実施形態では、吹出口１５が室内機１０の下部近傍に形成されている。これに代えて、吹出口が室内機の前部に設けられていてもよい。具体的には、吹出口が室内機ケーシングの前面から両側面に連続して形成されていてもよい。
【０１６３】
（Ｅ）
上記実施形態では、吹出口１５が、室内機ケーシング１２の底面から両側面にかけて連続して形成されており、上下風向調整羽根３０および側方遮蔽部材２０，９０によって覆われている。これに代えて、吹出口が室内機ケーシングの底面にのみ形成されており、吹出口が上下風向調整羽根のみによって覆われているような室内機の構成であってもよい。
【０１６４】
（Ｆ）
上記実施形態では、迫り出し機構５１，６１と角度調整機構７１とは、上下風向調整羽根３０の状態が閉状態から第１開状態に移行するまでの間および第１開状態から閉状態に移行するまでの間は同時に駆動されており、第１開状態から第２開状態または第３開状態に移行するまでの間および第３開状態または第２開状態から第１開状態に移行するまでの間は、別々に駆動されている。
【０１６５】
これに代えて、上下風向調整羽根の状態が第１開状態から第２開状態または第３開状態に移行するまでの間および第３開状態または第２開状態から第１開状態に移行するまでの間についても、迫り出し機構および角度調整機構が同時に駆動されてもよい。
【０１６６】
また、上下風向調整羽根の状態が閉状態から第１開状態に移行するまでの間および第１開状態から閉状態に移行するまでの間についても、迫り出し機構および角度調整機構７１が別々に駆動されてもよい。
【０１６７】
（Ｇ）
上記実施形態では、吹出口１５の第１部分１６に対する上下風向調整羽根３０の傾斜角度は、迫り出し機構５１，６１および角度調整機構７１によって変更されている。
【０１６８】
これに代えて、角度調整機構の代わりに、上記実施形態の迫り出し機構５１，６１と同様の機構が用いられてもよい。言い換えると、３つの迫り出し機構によって、吹出口において第１部分に相当する開口面に対する上下風向調整羽根の傾斜角度が変更されてもよい。
【産業上の利用可能性】
【０１６９】
本発明は、吹出口に対する上下風向調整羽根の傾斜角度が変更される場合に、上下風向調整羽根と室内機ケーシング内部の部材とが干渉するおそれを減らすことができるため、上下風向調整羽根を備える空気調和機の室内機への適用が有効である。
【符号の説明】
【０１７０】
１０      室内機
１２      室内機ケーシング（ケーシング）
１５      吹出口
３０      上下風向調整羽根（上下風向調整板）
３２      第１連結部（第１部分）
３２ａ    軸支部
３３      第２連結部（第２部分）
５１      第１迫り出し機構／迫り出し機構（第１移動機構）
６１      第２迫り出し機構／迫り出し機構（第１移動機構）
７１      角度調整機構（第２移動機構）
７３      角度調整機構駆動用モータ（駆動源）
８５      駆動制御部（制御部）
５４，６４  迫り出し機構駆動用モータ（駆動源）
５７，６７  支持軸（回転軸）
【先行技術文献】
【特許文献】
【０１７１】
【特許文献１】特開平５−２５６５０６号公報